(57)【要約】定の実施形態によると、測定ギャップ構成のためにマスタノード（ＭＮ）（１６０Ａ）によって実行される方法が開示される。方法は、セカンダリノード（ＳＮ）（１６０Ｂ）及び無線デバイス（１１０）とデュアルコネクティビティ（ＤＣ）構成で動作することを含み得る。方法は、測定ギャップ構成を無線デバイス（１１０）に構成することをさらに含み、測定ギャップ構成は、無線デバイス（１１０）が第１周波数範囲（ＦＲ１）及び第２周波数範囲（ＦＲ２）を測定することを可能にする。
2021503730.tif 000002
【特許請求の範囲】
【請求項１】
測定ギャップ構成のためにマスタノード（ＭＮ）（１６０Ａ）により実行される方法であって、
セカンダリノード（ＳＮ）（１６０Ｂ）及び無線デバイス（１１０）とデュアルコネクティビティ（ＤＣ）構成で動作することと、
測定ギャップ構成を前記無線デバイス（１１０）に構成することと、を含み、
前記測定ギャップ構成は、前記無線デバイス（１１０）が第１周波数範囲（ＦＲ１）及び第２周波数範囲（ＦＲ２）を測定することを可能にする、方法。
【請求項２】
請求項１に記載の方法であって、
前記無線デバイス（１１０）がＦＲ１及びＦＲ２に共有無線周波数（ＲＦ）チェーンを使用すると決定することをさらに含む、方法。
【請求項３】
請求項１又は２に記載の方法であって、
前記ＳＮ（１６０Ｂ）が前記無線デバイス（１１０）のために前記測定ギャップ構成を設定する必要がないことを前記ＳＮ（１６０Ｂ）に通信することをさらに含む、方法。
【請求項４】
請求項１から３のいずれか１項に記載の方法であって、
前記測定ギャップ構成を前記ＳＮ（１６０Ｂ）に通信することをさらに含み、
前記通信は、前記測定ギャップ構成がＦＲ１及びＦＲ２の両方に対するものであるという表示を含む、方法。
【請求項５】
請求項１から４のいずれか１項に記載の方法であって、
前記無線デバイス（１１０）の前記測定ギャップ構成を新しい構成に変更することと、
前記新しい構成を前記ＳＮ（１６０Ｂ）に通信することと、をさらに含む方法。
【請求項６】
請求項１から５のいずれか１項に記載の方法であって、
無線デバイス（１１０）がＦＲ１のみを測定すると決定することと、
ＦＲ１周波数の測定ギャップ構成で前記無線デバイス（１１０）を構成することと、をさらに含む方法。
【請求項７】
請求項１から６のいずれか１項に記載の方法であって、
無線デバイス（１１０）がＦＲ２のみを測定すると決定することと、
ＦＲ２周波数の測定ギャップ構成で前記無線デバイス（１１０）を構成することと、をさらに含む方法。
【請求項８】
請求項１から７のいずれか１項に記載の方法であって、
無線デバイス（１１０）がＦＲ１及びＦＲ２の両方を測定すると決定することと、
ＦＲ１周波数及びＦＲ２周波数の測定ギャップ構成で前記無線デバイス（１１０）を構成することと、をさらに含む方法。
【請求項９】
請求項１から８のいずれか１項に記載の方法であって、
前記ＤＣ構成はＥＮ−ＤＣ構成であり、前記ＭＮ（１６０Ａ）はＬＴＥで動作し、前記ＳＮ（１６０Ｂ）はＮＲで動作する、方法。
【請求項１０】
測定ギャップ構成のためのマスタノード（ＭＮ）（１６０Ａ）であって、
セカンダリノード（ＳＮ）（１６０Ｂ）及び無線デバイス（１１０）とデュアルコネクティビティ（ＤＣ）構成で動作し、前記無線デバイス（１１０）が第１周波数範囲（ＦＲ１）及び第２周波数範囲（ＦＲ２）を測定することを可能にする測定ギャップ構成を前記無線デバイス（１１０）のために構成する様に構成されている処理回路（１７０）と、
前記処理回路（１７０）と動作可能に接続され、前記測定ギャップ構成を前記無線デバイス（１１０）に送信する様に構成されているインタフェース回路（１９０）と、を備えるＭＮ。
【請求項１１】
請求項１０に記載のＭＮであって、
前記処理回路（１７０）は、前記無線デバイス（１１０）がＦＲ１及びＦＲ２に共有無線周波数（ＲＦ）チェーンを使用すると決定する様に構成されている、ＭＮ。
【請求項１２】
請求項１０又は１１に記載のＭＮ（１６０Ａ）であって、
前記インタフェース回路（１９０）は、前記ＳＮ（１６０Ｂ）が前記無線デバイス（１１０）のために前記測定ギャップ構成を設定する必要がないことを前記ＳＮ（１６０Ｂ）に通信する様にさらに動作可能である、ＭＮ。
【請求項１３】
請求項１０から１２のいずれか１項に記載のＭＮ（１６０Ａ）であって、
前記インタフェース回路（１９０）は、前記測定ギャップ構成を前記ＳＮ（１６０Ｂ）に通信する様にさらに構成され、前記通信は、前記測定ギャップ構成がＦＲ１及びＦＲ２の両方に対するものであるという表示を含む、ＭＮ。
【請求項１４】
請求項１０から１３のいずれか１項に記載のＭＮ（１６０Ａ）であって、
前記処理回路（１７０）は、前記無線デバイス（１１０）の前記測定ギャップ構成を新しい構成に変更する様にさらに構成され、
前記インタフェース回路（１９０）は、前記新しい構成を前記ＳＮ（１６０Ｂ）に通信する様にさらに構成されている、ＭＮ。
【請求項１５】
請求項１０から１４のいずれか１項に記載のＭＮ（１６０Ａ）であって、
前記処理回路（１７０）は、無線デバイス（１１０）がＦＲ１のみを測定すると決定し、ＦＲ１周波数の測定ギャップ構成で前記無線デバイス（１１０）を構成する様にさらに構成されている、ＭＮ。
【請求項１６】
請求項１０から１５のいずれか１項に記載のＭＮ（１６０Ａ）であって、
前記処理回路（１７０）は、前記無線デバイス（１１０）がＦＲ２のみを測定すると決定し、ＦＲ２周波数の測定ギャップ構成で前記無線デバイス（１１０）を構成する様にさらに構成されている、ＭＮ。
【請求項１７】
請求項１０から１６のいずれか１項に記載のＭＮ（１６０Ａ）であって、
前記処理回路（１７０）は、無線デバイス（１１０）がＦＲ１及びＦＲ２の両方を測定すると決定し、ＦＲ１及びＦＲ２の両方の測定ギャップ構成で前記無線デバイス（１１０）を構成する様にさらに構成されている、ＭＮ。
【請求項１８】
請求項１０から１７のいずれか１項に記載のＭＮ（１６０Ａ）であって、
前記ＤＣ構成はＥＮ−ＤＣであり、前記ＭＮ（１６０Ａ）はＬＴＥで動作し、前記ＳＮ（１６０Ｂ）はＮＲで動作する、ＭＮ。
【請求項１９】
測定ギャップ構成のためにマスタノード（ＭＮ）（１６０Ａ）により実行される方法であって、
セカンダリノード（ＳＮ）（１６０Ｂ）及び無線デバイス（１１０）とデュアルコネクティビティ（ＤＣ）構成で動作することと、
第１周波数範囲（ＦＲ１）のみを測定するための第１測定ギャップ構成で前記無線デバイス（１１０）を構成することと、を含む方法。
【請求項２０】
請求項１９に記載の方法であって、
前記無線デバイス（１１０）がＦＲ１及び第２周波数範囲（ＦＲ２）に個別無線周波数（ＲＦ）チェーンを使用すると決定することをさらに含む、方法。
【請求項２１】
請求項１９又は２０に記載の方法であって、
前記無線デバイス（１１０）がＦＲ１及びＦＲ２に前記個別ＲＦチェーンを使用することを前記ＳＮ（１６０Ｂ）に通信することと、
前記ＳＮ（１６０Ｂ）が第２周波数範囲（ＦＲ２）の前記測定ギャップ構成を構成することを前記ＳＮ（１６０Ｂ）に通信することと、をさらに含む方法。
【請求項２２】
請求項１９から２１のいずれか１項に記載の方法であって、
ＦＲ１の前記測定ギャップ構成を前記ＳＮ（１６０Ｂ）に通信することをさらに含む、方法。
【請求項２３】
請求項１９から２２のいずれか１項に記載の方法であって、
ＦＲ１の前記測定ギャップ構成を新しい構成に変更することと、
前記新しい構成を前記ＳＮ（１６０Ｂ）に通信することと、をさらに含む方法。
【請求項２４】
請求項１９から２３のいずれか１項に記載の方法であって、
前記ＳＮ（１６０Ｂ）から通知を受信することをさらに含み、
前記通知は、前記ＳＮ（１６０Ｂ）が前記無線デバイス（１１０）のＦＲ２の前記測定ギャップ構成を修正したことを前記ＭＮ（１６０Ａ）に通知する、方法。
【請求項２５】
請求項１９から２４のいずれか１項に記載の方法であって、
前記ＳＮ（１６０Ｂ）から通知を受信することをさらに含み、
前記通知は、前記ＳＮ（１６０Ｂ）が前記無線デバイス（１１０）のＦＲ１の前記測定ギャップ構成を修正したことを前記ＭＮ（１６０Ａ）に通知する、方法。
【請求項２６】
請求項１９から２５のいずれか１項に記載の方法であって、
前記ＳＮ（１６０Ｂ）から通知を受信することをさらに含み、
前記通知は、前記ＳＮ（１６０Ｂ）がＦＲ１の周波数を使用するサービングセルを追加又は削除したことを前記ＭＮ（１６０Ａ）に通知する、方法。
【請求項２７】
請求項２６に記載の方法であって、
前記サービングセルは、ＮＲサービングセルである、方法。
【請求項２８】
請求項１９から２７のいずれか１項に記載の方法であって、
前記ＤＣ構成はＥＮ−ＤＣ構成であり、前記ＭＮ（１６０Ａ）はＬＴＥで動作し、前記ＳＮ（１６０Ｂ）はＮＲで動作する、方法。
【請求項２９】
測定ギャップ構成のためのマスタノード（ＭＮ）（１６０Ａ）であって、
セカンダリノード（ＳＮ）（１６０Ｂ）とデュアルコネクティビティ（ＤＣ）構成で動作し、前記無線デバイスが第１周波数範囲（ＦＲ１）を測定することを可能にする、ＦＲ１のみのための第１測定ギャップ構成を構成する様に構成されている処理回路（１７０）と、
前記処理回路（１７０）と動作可能に接続され、前記第１測定ギャップ構成を前記無線デバイス（１１０）に送信する様に構成されているインタフェース回路（１９０）と、を備えるＭＮ。
【請求項３０】
請求項２９に記載のＭＮ（１６０Ａ）であって、
前記処理回路（１７０）は、無線デバイス（１１０）がＦＲ１及び第２周波数範囲（ＦＲ２）に個別無線周波数（ＲＦ）チェーンを使用すると決定する様にさらに構成されている、ＭＮ。
【請求項３１】
請求項２９又は３０に記載のＭＮ（１６０Ａ）であって、
前記インタフェース回路（１９０）は、前記無線デバイス（１１０）がＦＲ１及びＦＲ２に前記個別ＲＦチェーンを使用することを前記ＳＮ（１６０Ｂ）に通信し、前記ＳＮ（１６０Ｂ）がＦＲ２の前記測定ギャップ構成を構成することを前記ＳＮ（１６０Ｂ）に通信する様にさらに構成されている、ＭＮ。
【請求項３２】
請求項２９から３１のいずれか１項に記載のＭＮ（１６０Ａ）であって、
ＦＲ１の前記測定ギャップ構成を前記ＳＮ（１６０Ｂ）に通信する様にさらに構成されている、ＭＮ。
【請求項３３】
請求項２９から３２のいずれか１項に記載のＭＮ（１６０Ａ）であって、
前記処理回路（１７０）は、ＦＲ１の前記測定ギャップ構成を新しい構成に変更する様にさらに構成され、
前記インタフェース回路（１９０）は、前記新しい構成を前記ＳＮ（１６０Ｂ）に通信する様にさらに構成されている、ＭＮ。
【請求項３４】
請求項２９から３３いずれか１項に記載のＭＮ（１６０Ａ）であって、
前記インタフェース回路（１９０）は、前記ＳＮ（１６０Ｂ）から通知を受信する様にさらに構成され、
前記通知は、前記ＳＮ（１６０Ｂ）が前記無線デバイス（１１０）のＦＲ１の前記測定ギャップ構成を修正したことを前記ＭＮ（１６０Ａ）に通知する、ＭＮ。
【請求項３５】
請求項２９から３４のいずれか１項に記載のＭＮ（１６０Ａ）であって、
前記インタフェース回路（１９０）は、前記ＳＮ（１６０Ｂ）から通知を受信する様にさらに構成され、
前記通知は、前記ＳＮ（１６０Ｂ）がＦＲ１の周波数を使用するサービングセルを追加又は削除したことを前記ＭＮ（１６０Ａ）に通知する、ＭＮ。
【請求項３６】
請求項３５に記載のＭＮ（１６０Ａ）であって、
前記サービングセルは、ＮＲサービングセルである、ＭＮ。
【請求項３７】
請求項２９から３６のいずれか１項に記載のＭＮ（１６０Ａ）であって、
前記ＤＣ構成はＥＮ−ＤＣ構成であり、前記ＭＮ（１６０Ａ）はＬＴＥで動作し、前記ＳＮ（１６０Ｂ）はＮＲで動作する、ＭＮ。
【請求項３８】
測定ギャップ構成のためにマスタノード（ＭＮ）（１６０Ａ）により実行される方法であって、
セカンダリノード（ＳＮ）（１６０Ｂ）及び無線デバイス（１１０）とデュアルコネクティビティ（ＤＣ）構成で動作することと、
第１周波数範囲（ＦＲ１）の第１測定ギャップ構成及び第２周波数範囲（ＦＲ２）の第２測定ギャップ構成で前記無線デバイス（１１０）を構成することと、を含み、
前記第１測定ギャップ構成は、前記無線デバイスがＦＲ１を測定することを可能にし、前記第２測定ギャップ構成は、前記無線デバイスがＦＲ２を測定することを可能にする、方法。
【請求項３９】
請求項３８に記載の方法であって、
前記無線デバイス（１１０）がＦＲ１及びＦＲ２に個別無線周波数（ＲＦ）チェーンを使用すると決定することをさらに含む、方法。
【請求項４０】
請求項３８又は３９に記載の方法であって、
前記ＳＮ（１６０Ｂ）が前記無線デバイス（１１０）のために測定ギャップ構成を設定する必要がないことを前記ＳＮ（１６０Ｂ）に通信することをさらに含む、方法。
【請求項４１】
請求項３８から４０のいずれか１項に記載の方法であって、
ＦＲ１の前記第１測定ギャップ構成及びＦＲ２の前記第２測定ギャップ構成を前記ＳＮ（１６０Ｂ）に通信することをさらに含む、方法。
【請求項４２】
請求項３８から４１のいずれか１項に記載の方法であって、
ＦＲ１の前記第１測定ギャップ構成、及び／又は、ＦＲ２の前記第２測定ギャップ構成を新しい構成に変更することと、
前記新しい構成を前記ＳＮ（１６０Ｂ）に通信することと、をさらに含む方法。
【請求項４３】
請求項３８から４２のいずれか１項に記載の方法であって、
メッセージを前記ＳＮ（１６０Ｂ）から受信することをさらに含み、
前記メッセージは、ＭＮ（１６０Ａ）が、前記無線デバイスのＦＲ１の前記第１測定ギャップ構成及びＦＲ２の前記第２測定ギャップ構成の少なくとも１つを修正することを要求する、方法。
【請求項４４】
請求項３８から４３のいずれか１項に記載の方法であって、
前記ＳＮ（１６０Ｂ）から通知を受信することをさらに含み、
前記通知は、前記ＳＮ（１６０Ｂ）がＦＲ１及び／又はＦＲ２の１つ以上の周波数を使用するサービングセルを追加又は削除したことを前記ＭＮ（１６０Ａ）に通知する、方法。
【請求項４５】
請求項４４に記載の方法であって、
前記サービングセルは、ＮＲサービングセルである、方法。
【請求項４６】
請求項３８から４５のいずれか１項に記載の方法であって、
前記ＤＣ構成はＮＥ−ＤＣ構成であり、前記ＭＮ（１６０Ａ）はＮＲで動作し、前記ＳＮ（１６０Ｂ）はＬＴＥで動作する、方法。
【請求項４７】
測定ギャップ構成のためのマスタノード（ＭＮ）（１６０Ａ）であって、
セカンダリノード（ＳＮ）（１６０Ｂ）及び無線デバイス（１１０）とデュアルコネクティビティ（ＤＣ）構成で動作し、前記無線デバイス（１１０）が、第１周波数範囲（ＦＲ１）を測定することを可能にする、ＦＲ１の第１測定ギャップ構成、及び、前記無線デバイス（１１０）が、第２周波数範囲（ＦＲ２）を測定することを可能にする、ＦＲ２の第２測定ギャップ構成を構成する様に構成されている処理回路（１７０）と、
前記処理回路（１７０）と動作可能に接続され、前記第１測定ギャップ構成及び前記第２測定ギャップ構成を前記無線デバイス（１１０）に送信する様に構成されているインタフェース回路（１９０）と、を備えるＭＮ。
【請求項４８】
請求項４７に記載のＭＮ（１６０Ａ）であって、
前記処理回路（１７０）は、無線デバイス（１１０）がＦＲ１及びＦＲ２に共有無線周波数（ＲＦ）チェーンを使用すると決定する様にさらに構成されている、ＭＮ。
【請求項４９】
請求項４７又は４８に記載のＭＮ（１６０Ａ）であって、
前記インタフェース回路（１９０）は、前記ＳＮ（１６０Ｂ）が前記無線デバイス（１１０）のために測定ギャップ構成を設定する必要がないことを前記ＳＮ（１６０Ｂ）に通信する様にさらに構成されている、ＭＮ。
【請求項５０】
請求項４７から４９のいずれか１項に記載のＭＮ（１６０Ａ）であって、
前記インタフェース回路（１９０）は、ＦＲ１の前記第１測定ギャップ構成及びＦＲ２の前記第２測定ギャップ構成を前記ＳＮ（１６０Ｂ）に通信する様にさらに構成されている、ＭＮ。
【請求項５１】
請求項４７から５０のいずれか１項に記載のＭＮ（１６０Ａ）であって、
前記処理回路（１７０）は、前記第１測定ギャップ構成及び／又は前記第２測定ギャップ構成を新しい構成に変更する様にさらに構成され、
前記インタフェース回路（１９０）は、前記新しい構成を前記ＳＮ（１６０Ｂ）に通信する様にさらに構成されている、ＭＮ。
【請求項５２】
請求項４７から５１のいずれか１項に記載のＭＮ（１６０Ａ）であって、
前記インタフェース回路（１９０）は、前記ＳＮ（１６０Ｂ）からメッセージを受信する様にさらに構成され、
前記メッセージは、前記ＭＮ（１６０Ａ）が、前記無線デバイスのＦＲ１の前記第１測定ギャップ構成及びＦＲ２の前記第２測定ギャップ構成の少なくとも１つを修正することを要求する、ＭＮ。
【請求項５３】
請求項４７から５２のいずれか１項に記載のＭＮ（１６０Ａ）であって、
前記インタフェース回路（１９０）は、前記ＳＮ（１６０Ｂ）から通知を受信する様にさらに構成され、
前記通知は、前記ＳＮ（１６０Ｂ）がＦＲ１及び／又はＦＲ２の１つ以上の周波数を使用するサービングセルを追加又は削除したことを前記ＭＮ（１６０Ａ）に通知する、ＭＮ。
【請求項５４】
請求項４７から５３のいずれか１項に記載のＭＮ（１６０）であって、
前記ＤＣ構成はＮＥ−ＤＣ構成であり、前記ＭＮ（１６０Ａ）はＮＲで動作し、前記ＳＮ（１６０Ｂ）はＬＴＥで動作する、ＭＮ。
【請求項５５】
測定ギャップ構成のためにセカンダリノード（ＳＮ）（１６０Ｂ）により実行される方法であって、
マスタノード（ＭＮ）（１６０Ａ）及び無線デバイス（１１０）とデュアルコネクティビティ（ＤＣ）構成で動作することと、
前記ＭＮ（１６０Ａ）からメッセージを受信することと、を含み、
前記メッセージは、前記無線デバイス（１１０）のための、第１周波数範囲（ＦＲ１）の第１測定ギャップ構成及び第２周波数範囲（ＦＲ２）の第２測定ギャップ構成の少なくとも１つの構成に関連付けられている、方法。
【請求項５６】
請求項５５に記載の方法であって、
前記メッセージは、前記ＳＮ（１６０Ｂ）が前記無線デバイス（１１０）のためにＦＲ１とＦＲ２の前記測定ギャップ構成を設定する必要がないことを示す、方法。
【請求項５７】
請求項５５又は５６に記載の方法であって、
前記ＭＮ（１６０Ａ）からメッセージを受信することをさらに含み、前記メッセージは、ＦＲ１及びＦＲ２の両方の前記測定ギャップ構成を示す、方法。
【請求項５８】
請求項５５に記載の方法であって、
前記メッセージは、前記無線デバイス（１１０）がＦＲ１及びＦＲ２に個別無線周波数（ＲＦ）チェーンを使用することを示し、
前記方法は、
前記ＭＮ（１６０Ａ）から通知を受信することと、
前記通知の応答として、前記無線デバイス（１１０）に、ＦＲ２周波数の測定ギャップ構成を送信することと、をさらに含む方法。
【請求項５９】
請求項５８に記載の方法であって、
ＦＲ１の前記測定ギャップ構成を前記ＭＮ（１６０Ａ）から受信することをさらに含む、方法。
【請求項６０】
請求項５８又は５９に記載の方法であって、
前記無線デバイス（１１０）のためのＦＲ２の前記測定ギャップ構成を新しい構成に変更することと、
前記新しい構成を前記ＭＮ（１６０Ａ）に通信することと、をさらに含む方法。
【請求項６１】
請求項５５から６０のいずれか１項に記載の方法であって、
前記無線デバイス（１１０）の新しい構成を示すメッセージを前記ＭＮ（１６０Ａ）から受信することをさらに含み、
前記新しい構成は、ＦＲ１の変更された測定ギャップ構成及びＦＲ２の変更された測定ギャップ構成の少なくとも１つを含む、方法。
【請求項６２】
請求項５５から６１のいずれか１項に記載の方法であって、
ＦＲ１の前記測定ギャップ構成及びＦＲ２の前記測定ギャップ構成の少なくとも１つの新しい構成を決定することと、
ＦＲ１及びＦＲ２の少なくとも１つの前記測定ギャップ構成を修正する要求を前記ＭＮ（１６０Ａ）に通信することと、をさらに含む方法。
【請求項６３】
請求項５５から６２のいずれか１項に記載の方法であって、
前記ＤＣ構成はＥＮ−ＤＣ構成であり、前記ＭＮ（１６０Ａ）はＬＴＥで動作し、前記ＳＮ（１６０Ｂ）はＮＲで動作する、方法。
【請求項６４】
測定ギャップ構成のためのセカンダリノード（ＳＮ）（１６０Ｂ）であって、
マスタノード（ＭＮ）（１６０Ａ）及び無線デバイス（１１０）とデュアルコネクティビティ（ＤＣ）構成で動作する様に構成されている処理回路（１７０）と、
前記処理回路と動作可能に接続され、前記ＭＮ（１６０Ａ）からメッセージを受信する様に構成されているインタフェース回路（１９０）と、を備え、
前記メッセージは、前記無線デバイス（１１０）のための、第１周波数範囲（ＦＲ１）の第１測定ギャップ構成及び第２周波数範囲（ＦＲ２）の第２測定ギャップ構成の少なくとも１つの構成に関連付けられている、ＳＮ。
【請求項６５】
請求項６４に記載のＳＮ（１６０Ｂ）であって、
前記メッセージは、前記ＳＮ（１６０Ｂ）が前記無線デバイス（１１０）のためにＦＲ１又はＦＲ２の前記測定ギャップ構成を設定する必要がないことを示す、ＳＮ。
【請求項６６】
請求項６４又は６５に記載のＳＮ（１６０Ｂ）であって、
前記インタフェース回路（１９０）は、ＭＮ（１６０Ａ）からメッセージを受信する様にさらに構成され、前記メッセージは、ＦＲ１及びＦＲ２の両方の前記測定ギャップ構成を示す、ＳＮ。
【請求項６７】
請求項６４に記載のＳＮ（１６０Ｂ）であって、
前記メッセージは、前記無線デバイス（１１０）がＦＲ１及びＦＲ２に個別無線周波数（ＲＦ）チェーンを使用することを示し、
前記インタフェース回路（１９０）は、前記ＳＮ（１６０Ｂ）がＦＲ２の前記測定ギャップ構成を構成する責任があるという通知を前記ＭＮ（１６０Ａ）から受信する様にさらに構成されている、ＳＮ。
【請求項６８】
請求項６７に記載のＳＮ（１６０Ｂ）であって、
前記インタフェース回路（１９０）は、ＦＲ１の前記測定ギャップ構成を前記ＭＮ（１６０Ａ）から受信する様にさらに構成されている、ＳＮ。
【請求項６９】
請求項６４から６８のいずれか１項に記載のＳＮ（１６０Ｂ）であって、
前記処理回路は、ＦＲ２の前記測定ギャップ構成を新しい構成に変更する様にさらに構成され、
前記インタフェース回路（１９０）は、前記新しい構成を前記ＭＮ（１６０Ａ）に通信する様にさらに構成されている、ＳＮ。
【請求項７０】
請求項６４から６９のいずれか１項に記載のＳＮ（１６０Ｂ）であって、
前記インタフェース回路（１９０）は、前記無線デバイス（１１０）の新しい構成を示すメッセージを前記ＭＮ（１６０Ａ）から受信する様にさらに構成され、
前記新しい構成は、ＦＲ１の変更された測定ギャップ構成及びＦＲ２の変更された測定ギャップ構成の少なくとも１つを含む、ＳＮ。
【請求項７１】
請求項６４から７０のいずれか１項に記載のＳＮ（１６０Ｂ）であって、
前記処理回路（１７０）は、ＦＲ１の前記測定ギャップ構成及びＦＲ２の前記測定ギャップ構成の少なくとも１つの新しい構成を決定する様にさらに構成され、
前記インタフェース回路（１９０）は、ＦＲ１及びＦＲ２の少なくとも１つの前記測定ギャップ構成を修正する要求を前記ＭＮ（１６０Ａ）に通信する様にさらに構成されている、ＳＮ。
【請求項７２】
請求項６４から７１のいずれか１項に記載のＳＮ（１６０Ｂ）であって、
前記ＤＣ構成はＥＮ−ＤＣ構成であり、前記ＭＮ（１６０Ａ）はＬＴＥで動作し、前記ＳＮ（１６０Ｂ）はＮＲで動作する、ＳＮ。
【請求項７３】
測定ギャップ構成のために無線デバイス（１１０）により実行される方法であって、
マスタノード（ＭＮ）（１６０Ａ）及びセカンダリノード（ＳＮ）（１６０Ｂ）とデュアルコネクティビティ（ＤＣ）構成で動作することと、
第１周波数範囲（ＦＲ１）及び第２周波数範囲（ＦＲ２）のための無線周波数（ＲＦ）チェーンを使用して動作することと、
能力情報を前記ＭＮ（１６０Ａ）に送信することと、を含み、
前記能力情報は、前記無線デバイスがＦＲ１及びＦＲ２のための個別ＲＦチェーンをサポートするか、前記無線デバイス（１１０）がＦＲ１及びＦＲ２のための共有ＲＦチェーンをサポートするかを示す、方法
【請求項７４】
請求項７３に記載の方法であって、
前記能力情報に応じた測定ギャップ構成を受信することをさらに含む、方法。
【請求項７５】
請求項７３に記載の方法であって、
前記ＲＦチェーンは、ＦＲ１及びＦＲ２の共有ＲＦチェーンであり、前記方法は、前記ＭＮ（１６０Ａ）からＦＲ１及びＦＲ２の両方のための前記測定ギャップ構成を受信することをさらに含む、方法。
【請求項７６】
請求項７３に記載の方法であって、
前記ＲＦチェーンは、ＦＲ１及びＦＲ２の個別ＲＦチェーンであり、
前記方法は、
前記ＭＮ（１６０Ａ）からＦＲ１の第１測定ギャップ構成を受信し、前記ＳＮ（１６０Ｂ）からＦＲ２の第２測定ギャップ構成を受信することをさらに含む、方法。
【請求項７７】
請求項７３に記載の方法であって、
前記ＲＦチェーンは、ＦＲ１及びＦＲ２の個別ＲＦチェーンであり、
前記方法は、
前記ＭＮ（１６０Ａ）からＦＲ１の第１測定ギャップ構成及びＦＲ２の第２測定ギャップ構成を受信することをさらに含む、方法。
【請求項７８】
測定ギャップ構成のための無線デバイス（１１０）であって、
マスタノード（ＭＮ）（１６０Ａ）及びセカンダリノード（ＳＮ）（１６０Ｂ）とデュアルコネクティビティ（ＤＣ）構成で動作し、第１周波数範囲（ＦＲ１）及び第２周波数範囲（ＦＲ２）のための無線周波数（ＲＦ）チェーンを使用して動作する様に構成されている処理回路（１２０）と、
前記処理回路（１２０）と動作可能に接続され、能力情報をＭＮに送信する様に構成され、能力情報を前記ＭＮ（１６０Ａ）に送信する様に構成されているインタフェース回路（１１４）と、を備え、
前記能力情報は、前記無線デバイス（１１０）がＦＲ１及びＦＲ２のための個別ＲＦチェーンをサポートするか、前記無線デバイス（１１０）がＦＲ１及びＦＲ２のための共有ＲＦチェーンをサポートするかを示す、無線デバイス。
【請求項７９】
請求項７７に記載の無線デバイスであって、
前記ＲＦチェーンは、ＦＲ１及びＦＲ２の共有ＲＦチェーンであり、
前記インタフェース回路（１１４）は、前記ＭＮ（１６０Ａ）からＦＲ１及びＦＲ２の両方のための前記測定ギャップ構成を受信する様にさらに構成されている、無線デバイス。
【請求項８０】
請求項７７に記載の無線デバイスであって、
前記ＲＦチェーンは、ＦＲ１及びＦＲ２の個別ＲＦチェーンであり、
前記インタフェース回路（１１４）は、前記ＭＮ（１６０Ａ）からＦＲ１の第１測定ギャップ構成を受信し、前記ＳＮ（１６０Ｂ）からＦＲ２の第２測定ギャップ構成を受信する様にさらに構成されている、ＳＮ。
【請求項８１】
請求項７７に記載の無線デバイスであって、
前記ＲＦチェーンは、ＦＲ１及びＦＲ２の個別ＲＦチェーンであり、
前記インタフェース回路（１１４）は、前記ＭＮ（１６０Ａ）からＦＲ１の第１測定ギャップ構成及びＦＲ２の第２測定ギャップ構成を受信する様にさらに構成されている、ＳＮ。
【発明の詳細な説明】
【技術分野】
【０００１】
本開示の実施形態は、無線通信を対象とし、より具体的には、マルチ無線アクセスネットワークのデュアルコネクティビティ（ＭＲ−ＤＣ）構成における測定ギャップ構成を対象とする。
【背景技術】
【０００２】
マルチキャリア又はキャリアアグリゲーション（ＣＡ）動作において、ＵＥは複数のサービングセルとデータの送受信を行うことができる。言い換えると、ＣＡ能力のあるＵＥは、複数のサービングセルと動作する様に構成され得る。各サービングセルのキャリアは、一般にコンポーネントキャリア（ＣＣ）と呼ばれる。言い換えると、コンポーネントキャリア（ＣＣ）は、マルチキャリアシステムの個別のキャリアである。キャリアアグリゲーション（ＣＡ）は、"マルチキャリアシステム"、"マルチセル動作"、"マルチキャリア動作"、"マルチキャリア"送信及び／又は受信と互換的に呼ばれる。これは、ＣＡがアップリンク及びダウンリンク方向のシグナリングとデータの送信に使用されることを意味する。ＣＣの１つは、プライマリコンポーネントキャリア（ＰＣＣ）又は単にプライマリキャリア又はアンカーキャリアである。残りのものは、セカンダリコンポーネントキャリア（ＳＣＣ）若しくは単にセカンダリキャリア、又は、補足キャリアと呼ばれる。サービングセルは、プライマリセル（ＰＣｅｌｌ）又はプライマリサービングセル（ＰＳＣ）とも呼ばれる。同様に、セカンダリサービングセルは、セカンダリセル（ＳＣｅｌｌ）又はセカンダリサービングセル（ＳＳＣ）とも呼ばれる。
【０００３】
一般に、プライマリＣＣ又はアンカーＣＣは、本質的にＵＥ固有のシグナリングを伝送する。プライマリＣＣ（別名ＰＣＣ又はＰＣｅｌｌ）は、ＣＡのアップリンク方向とダウンリンク方向の両方に存在する。単一のＵＬ  ＣＣの場合、ＰＣｅｌｌはそのＣＣにある。ネットワークは、同じセクタ又はセルで動作する異なるＵＥに、異なるプライマリキャリアを割り当て得る。
【０００４】
デュアルコネクティビティ（ＤＣ）動作において、ＵＥは、マスタｅＮＢ（ＭｅＮＢ）及びセカンダリｅＮＢ（ＳｅＮＢ）と呼ばれる少なくとも２つのノードによりサービス提供され得る。より一般的には、マルチコネクティビティ（別名、マルチ接続性）動作において、各ノードが１つのセルグループを操作又は管理する、例えば、ＭｅＮＢ、ＳｅＮＢ１、ＳｅＮＢ２等の２つ以上のノードからＵＥはサービス提供され得る。より具体的には、マルチコネクティビティにおいて、各ノードは、自身のセルグループに属する少なくともセカンダリサービングセルにサービスを提供又は管理する。各セルグループは、１つ以上のサービングセルを含む。ＵＥは、ＭｅＮＢとＳｅＮＢの両方からのＰＣＣで構成される。ＭｅＮＢ及びＳｅＮＢからのＰＣｅｌｌは、それぞれＰＣｅｌｌ及びＰＳＣｅｌｌと呼ばれる。ＵＥは、ＭｅＮＢとＳｅＮＢそれぞれからの１つ以上のＳＣＣでも構成される。ＭｅＮＢ及びＳｅＮＢによりサービス提供される対応するセカンダリサービングセルは、ＳＣｅｌｌと呼ばれる。ＤＣのＵＥは、通常、ＭｅＮＢ及びＳｅＮＢとの接続ごとに個別のＴＸ／ＲＸを有する。これにより、ＭｅＮＢとＳｅＮＢは、例えば、ＰＣｅｌｌとＰＳＣｅｌｌでの無線リンク監視（ＲＬＭ）、ＤＲＸサイクル等の１つ以上の手順でＵＥを構成することができる。
【０００５】
マルチコネクティビティにおいて、すべてのセルグループは、同じ無線アクセス技術（ＲＡＴ）、たとえばＬＴＥのサービングセルを含み得る、或いは、異なるセルグループは、異なるＲＡＴのサービングセルを含み得る。
【０００６】
ＬＴＥのデュアルコネクティビティ
Ｅ−ＵＴＲＡＮは、デュアルコネクティビティ（ＤＣ）オペレーションをサポートし、これにより、ＲＲＣ＿ＣＯＮＮＥＣＴＥＤの複数のＲｘ／Ｔｘ  ＵＥは、たとえばＸ２インタフェースを介した非理想的なバックホールにより接続された２つのｅＮＢにある２つの異なるスケジューラによって提供される無線リソースを利用する様に構成される。特定のＵＥのＤＣに関与するｅＮＢは、ＭＮ（マスタノード）又はＳＮ（セカンダリノード）として機能するといった、２つの異なる役割を引き受ける。ＤＣにおいて、ＵＥは１つのＭＮと１つのＳＮに接続され得る。
【０００７】
図１は、特定の実施形態による例示的なＬＴＥ  ＤＣのユーザプレーンを示している。ＬＴＥ  ＤＣにおいて、特定のベアラが使用する無線プロトコルアーキテクチャは、ベアラの設定方法によって異なる。ＭＣＧ（マスタセルグループ）ベアラ、ＳＣＧ（セカンダリセルグループ）ベアラ及びスプリットベアラの３つのベアラ種別が存在する。ＲＲＣはＭＮにあり、ＳＲＢ（シグナリング無線ベアラ）は、ＭＣＧベアラ種別として構成されているため、ＭＮの無線リソースのみを使用する。
【０００８】
ＬＴＥ−ＮＲのデュアルコネクティビティ
ＬＴＥ−ＮＲ（ニューレディオ）ＤＣ（ＬＴＥ−ＮＲタイトインタワーキングとも呼ばれる）が、現在、ｒｅｌ−１５のために議論されている。これに関連して、ＬＴＥ  ＤＣからの主な変更点は以下の通りである。
・ＳＮからのスプリットベアラの導入（ＳＣＧスプリットベアラとして知られている。）
・ＲＲＣのスプリットベアラの導入
・ＳＮからのダイレクトＲＲＣの導入（ＳＣＧ  ＳＲＢ又はＳＲＢ３とも呼ばれる。）
【０００９】
図２及び３は、ＬＴＥ−ＮＲタイトインタワーキングのユーザプレーン（ＵＰ）及び制御プレーン（ＣＰ）のアーキテクチャを示している。図２は、ユーザプレーンでのＬＴＥ−ＮＲタイトインタワーキングの例を示している。図３は、ＣＰでのＬＴＥ−ＮＲタイトインタワーキングの例を示している。ＬＴＥがマスタノードでＮＲがセカンダリノードの場合、ＳＮはＳｇＮＢ（ｌここで、ｇＮＢはＮＲの基地局）として参照され、ＭＮはＭｅＮＢとして参照される。ＮＲがマスタでＬＴＥがセカンダリノードである他のケースにおいて、対応する用語はＳｅＮＢとＭｇＮＢである。
【００１０】
スプリットＲＲＣメッセージは主にダイバーシティを作成するために使用され、送信者はＲＲＣメッセージをスケジュールするためのリンクの１つを選択するか、両方のリンクでメッセージを複製するかを決定できる。ダウンリンクにおいて、ＭＣＧ又はＳＣＧレッグ間のパスの切り替え、又は、両方の複製は、ネットワーク実装に任されている。一方、ＵＬの場合、ネットワークは、ＭＣＧ、ＳＣＧ、又は、両方のレッグを使用する様にＵＥを構成する。"レッグ"と"パス"という用語は、本明細書全体において同じ意味で使用される。
【００１１】
このテキスト全体で、さまざまなデュアルコネクティビティのシナリオを区別するために以下の用語が使用される。
・ＤＣ（デュアルコネクティビティ）：ＬＴＥ  ＤＣ（ＭＮとＳＮの両方がＬＴＥを利用）
・ＥＮ−ＤＣ（Ｅ−ＵＴＲＡＮ、ニューレディオＤＣ）：ＬＴＥがマスタでＮＲがセカンダリであるＬＴＥ−ＮＲデュアルコネクティビティ
・ＮＥ−ＤＣ（ニューレディオ、Ｅ−ＵＴＲＡＮ  ＤＣ）：ＮＲがマスタでＬＴＥがセカンダリであるＬＴＥ−ＮＲデュアルコネクティビティ
・ＮＲ−ＤＣ（又はＮＲ−ＮＲ  ＤＣ）：ＭＮとＳＮの両方がＮＲを利用
・ＭＲ−ＤＣ（マルチＲＡＴ  ＤＣ）：ＭＮとＳＮが異なるＲＡＴを使用する場合を示す一般的な用語（ＥＮ−ＤＣとＮＥ−ＤＣは、ＭＲ−ＤＣの２つの異なるケースの例である。）
【００１２】
Ｅ−ＵＴＲＡＮ−ＮＲデュアルコネクティビティにおいて、マスタセルグループは、少なくともＥ−ＵＴＲＡ  ＰＣｅｌｌを含み、セカンダリセルグループは、少なくともＮＲ  ＰＳＣｅｌｌを含む。この例において、マスタＣＧとセカンダリＣＧはそれぞれｅＮＢとｇＮＢによって管理される。ＮＲ−Ｅ−ＵＴＲＡＮデュアルコネクティビティにおいて、マスタセルグループは、少なくともＮＲ  ＰＣｅｌｌを含み、セカンダリセルグループは、少なくともＬＴＥ  ＰＳＣｅｌｌを含む。この例において、マスタＣＧとセカンダリＣＧはそれぞれｇＮＢとｅＮＢによって管理される。
【００１３】
ＬＴＥの測定ギャップ
ＬＴＥの周波数間測定は、周期的な周波数間測定ギャップ中に実行され、このギャップは、次の条件を満たすＳＦＮ及びサブフレームで各ギャップが始まる様に構成される。
・ＳＦＮ  ｍｏｄ  Ｔ＝ＦＬＯＯＲ（ｇａｐＯｆｆｓｅｔ／１０）；
・サブフレーム＝ｇａｐＯｆｆｓｅｔ  ｍｏｄ  １０；
Ｔ＝ＭＧＲＰ／１０であり、ＭＧＲＰは"測定ギャップ反復期間"を表す。Ｅ−ＵＴＲＡＮは、すべての周波数レイヤとＲＡＴを同時に監視するために、ギャップ期間が一定の単一の測定ギャップパターンを提供しなければならない。ＵＥは２つの構成をサポートしており、ＭＧＲＰは４０ミリ秒と８０ミリ秒で、両方の測定ギャップ長（ＭＧＬ）は６ミリ秒である。実際には、切り替え時間のため、このような各測定ギャップ内の測定では、６より少ないが少なくとも５つのフルサブフレームが残る。より短いＭＧＬも、最近ＬＴＥにおいて標準化された。
【００１４】
ＬＴＥにおいて、測定ギャップはネットワークによって構成され、他のＬＴＥ周波数及び／又は他のＲＡＴでの測定を可能にする。ギャップ構成は、測定構成の一部としてＲＲＣプロトコルを介してＵＥに通知される。ギャップはすべての周波数で共通（つまり、共有）であり、ＵＥは、各ギャップ内で一度に１つの周波数のみを測定できる。
【００１５】
ＲＲＣ仕様において、測定ギャップとそれに関連する手順は、たとえば、ＴＳ３８．３３１セクション５．５に記載されている。
【００１６】
５．５  測定
５．５．１  はじめに
ＵＥは、Ｅ−ＵＴＲＡＮによって提供される測定構成に従って測定情報をレポートする。Ｅ−ＵＴＲＡＮは、専用シグナリングによって、つまりＲＲＣＣｏｎｎｅｃｔｉｏｎＲｅｃｏｎｆｉｇｕｒａｔｉｏｎ又はＲＲＣＣｏｎｎｅｃｔｉｏｎＲｅｓｕｍｅメッセージを使用して、ＲＲＣ＿ＣＯＮＮＥＣＴＥＤのＵＥに適用可能な測定構成を提供する。
・・・
５．  測定ギャップ：ＵＥが測定を実行するために使用できる期間であり、（ＵＬ、ＤＬ）送信はスケジュールされない。
５．５．２  測定構成
５．５．２．１  一般
・・・
１＞受信したｍｅａｓＣｏｎｆｉｇにｍｅａｓＧａｐＣｏｎｆｉｇが含まれている場合：
２＞  ５．５．２．９で定義された測定ギャップ構成手順を実行
５．５.２．９  測定ギャップ構成
ＵＥは、以下のことを実行する：
１＞ｍｅａｓＧａｐＣｏｎｆｉｇがセットアップに設定されている場合：
２＞測定ギャップ構成がすでに設定されている場合、測定ギャップ構成を解放；
２＞受信したｇａｐＯｆｆｓｅｔに従ってｍｅａｓＧａｐＣｏｎｆｉｇによって示される測定ギャップ構成を設定、つまり、各ギャップの最初のサブフレームは、次の条件を満たすＳＦＮ及びサブフレームで生じる（ＭＣＧセルのＳＦＮ及びサブフレーム）：
ＳＦＮ  ｍｏｄ  Ｔ＝  ＦＬＯＯＲ（ｇａｐＯｆｆｓｅｔ／１０）；
サブフレーム＝ｇａｐＯｆｆｓｅｔ  ｍｏｄ  １０；
ＴＳ３６．１３３［１６］で定義されているＴ＝ＭＧＲＰ／１０；
注意：ＤＣで構成されている場合でも、ＵＥは単一のギャップを適用し、このタイミングはＭＣＧセルに関連する。
１＞その他：
２＞測定ギャップ構成を解放；
・・・
６．３．５  測定情報要素
・・・
【００１７】
−ＭｅａｓＣｏｎｆｉｇ
ＩＥ  ＭｅａｓＣｏｎｆｉｇは、ＵＥによって実行される測定を定義し、周波数内、周波数間、ＲＡＴ間のモビリティ、及び、測定ギャップの構成をカバーする。
MeasConfig information element
-- ASN1START
MeasConfig ::=  SEQUENCE {
-- Measurement objects
measObjectToRemoveList    MeasObjectToRemoveList    OPTIONAL,  --
Need ON
measObjectToAddModList    MeasObjectToAddModList    OPTIONAL,  --
Need ON
-- Reporting configurations
reportConfigToRemoveList  ReportConfigToRemoveList  OPTIONAL,  --
Need ON
reportConfigToAddModList  ReportConfigToAddModList  OPTIONAL,  --
Need ON
-- Measurement identities
measIdToRemoveList        MeasIdToRemoveList        OPTIONAL,  --
Need ON
measIdToAddModList        MeasIdToAddModList        OPTIONAL,  --
Need ON
-- Other parameters
quantityConfig            QuantityConfig            OPTIONAL,  --
Need ON
measGapConfig             MeasGapConfig             OPTIONAL,  --
Need ON
s-Measure                 RSRP-Range                OPTIONAL,  --
Need ON
preRegistrationInfoHRPD   PreRegistrationInfoHRPD   OPTIONAL,  --
Need OP
・・・
【００１８】
−ＭｅａｓＧａｐＣｏｎｆｉｇ
ＩＥ  ＭｅａｓＧａｐＣｏｎｆｉｇは、測定ギャップ構成を特定し、測定ギャップの設定／解放を制御する。
MeasGapConfig information element
-- ASN1START
MeasGapConfig ::=  CHOICE {
release             NULL,
setup               SEQUENCE {
gapOffset             CHOICE {
gp0                   INTEGER (0..39),
gp1                   INTEGER (0..79),
...,
gp2-r14               INTEGER (0..39),
gp3-r14               INTEGER (0..79),
gp-ncsg1-r14          INTEGER (0..39),
gp-ncsg2-r14          INTEGER (0..79),
gp-ncsg3-r14          INTEGER (0..39),
gp-ncsg4-r14          INTEGER (0..79),
gp-nonUniform1-r14    INTEGER (0..1279),
gp-nonUniform2-r14    INTEGER (0..2559),
gp-nonUniform3-r14    INTEGER (0..5119),
gp-nonUniform4-r14    -+INTEGER (0..10239)
}
}
}
MeasGapConfig-r14 ::=  SEQUENCE (SIZE (1..maxServCell-r13)) OF PerCC-
MeasGapConfig-r14
PerCC-MeasGapConfig-r14 ::=  CHOICE {
release                      SEQUENCE {
servCellId-r14                         ServCellIndex-r13
},
setup                        SEQUENCE {
servCellId-r14                         ServCellIndex-r13,
measGapConfig-r14                      MeasGapConfig
}
}
-- ASN1STOP
【発明の概要】
【発明が解決しようとする課題】
【００１９】
ＮＲ及びＥＮ−ＤＣの周波数間測定と測定ギャップ
３ＧＰＰは、ＮＲに２０ミリ秒、４０ミリ秒、８０ミリ秒、１６０ミリ秒の４つのＭＧＲＰ（測定ギャップ反復周期）、及び、ＭＧＬ（測定ギャップ長）の６つのオプションの、合計で２４個ギャップパターンがあることに同意した。ＥＮ−ＤＣでは、２つの周波数範囲（ＦＲ）を考慮することが重要である。ＦＲ１（サブ６Ｇｈｚ）及びＦＲ２（２４Ｇｈｚ以上）。ＬＴＥはＦＲ１で動作するが、ＮＲはＦＲ１とＦＲ２の両方で動作できる。実装に応じて、ＵＥはＦＲ１とＦＲ２の両方に１つ（共有又は共通）のＲＦチェーン、又は、それぞれに個別のチェーンを持つことができる。個別のチェーンの場合、一方の周波数間測定はもう一方の送受信に影響しないが、共通チェーンの場合、一方の周波数範囲での測定には測定ギャップが必要であり、したがって、他方における送受信の中断が必要になる。したがって、個別のＲＦチェーンの場合、ＵＥは、ＦＲ１の周波数用とＦＲ２の周波数用に１つずつ、独立した異なるギャップパターンで構成され得る。一方、共通のＲＦチェーンの場合、ＵＥは１つの共通の（ＵＥごとの）測定ギャップで構成されるべきである。ＵＥがＦＲ１及びＦＲ２の個別又は共通のＲＦチェーンをサポートするかどうかは、ＵＥ能力情報交換の一部としてネットワークに通知される。
【課題を解決するための手段】
【００２０】
前述の問題に対処するために、測定ギャップ構成のためにネットワークノードで実行される方法が開示される。ネットワークノードは、インタフェース回路に動作可能に接続される処理回路を含み得る。処理回路は、セカンダリノード及び無線デバイスとのデュアルコネクティビティ構成におけるマスタノードとしてネットワークノードを動作する様に構成され得る。処理回路は、無線デバイスの測定ギャップ構成を構成する様に構成され、測定ギャップ構成は、無線デバイスが第１周波数範囲（ＦＲ１）及び第２周波数範囲（ＦＲ２）を測定することを可能にする。インタフェース回路は、測定ギャップ構成を無線デバイスに送信する様に構成され得る。
【００２１】
測定ギャップ構成のためにマスターノード（ＭＮ）によって実行される方法も開示される。本方法は、セカンダリノード（ＳＮ）及び無線デバイスとデュアルコネクティビティ（ＤＣ）構成で動作することを含む。本方法は、測定ギャップ構成を無線デバイスに構成することをさらに含み、測定ギャップ構成は、無線デバイスが第１周波数範囲（ＦＲ１）及び第２周波数範囲（ＦＲ２）を測定することを可能にする。
【００２２】
幾つかの実施形態において、本方法は、無線デバイスがＦＲ１及びＦＲ２のための共有無線周波数（ＲＦ）チェーンを使用すると決定することを含む。本方法は、また、ＳＮが無線デバイスのための測定ギャップ構成を設定する必要がないことをＳＮに通信することを含み得る。幾つかの実施形態において、本方法は、測定ギャップ構成をＳＮに通信することを含み、通信は、測定ギャップ構成がＦＲ１及びＦＲ２の両方に対するものであるという表示を含む。特定の実施形態において、本方法は、無線デバイスの測定ギャップ構成を新しい構成に変更することと、新しい構成をＳＮに通信することと、を含む。幾つかの実施形態において、本方法は、無線デバイスがＦＲ１のみを測定すると決定することと、無線デバイスをＦＲ１周波数の測定ギャップ構成で構成することと、を含む。幾つかの実施形態において、本方法は、無線デバイスがＦＲ２のみを測定すると決定することと、無線デバイスをＦＲ２周波数の測定ギャップ構成で構成することと、を含む。幾つかの実施形態において、本方法は、無線デバイスがＦＲ１及びＦＲ２の両方を測定すると決定することと、無線デバイスをＦＲ１周波数及びＦＲ２周波数の測定ギャップ構成で構成することと、を含む。特定の実施形態において、ＤＣ構成はＥＮ−ＤＣ構成であり、ＭＮはＬＴＥで動作し、ＳＮはＮＲで動作する。
【００２３】
測定ギャップ構成のためのマスターノード（ＭＮ）も開示される。ＭＮは、インタフェース回路に動作可能に接続される処理回路を含む。処理回路は、セカンダリノード（ＳＮ）とデュアルコネクティビティ（ＤＣ）構成で動作する様に構成され得る。処理回路は、第１周波数範囲（ＦＲ１）のみの第１測定ギャップ構成を構成する様に構成され、第１測定ギャップは、無線デバイスがＦＲ１を測定することを可能にし得る。インタフェース回路は、第１測定ギャップ構成を無線デバイスに送信する様に構成される。
【００２４】
測定ギャップ構成のためにマスタノード（ＭＮ）によって実行される方法も開示される。本方法は、セカンダリノード（ＳＮ）及び無線デバイスとデュアルコネクティビティ（ＤＣ）構成で動作することを含む。本方法は、また、第１周波数範囲（ＦＲ１）のみを測定するための第１測定ギャップ構成で無線デバイスを構成することを含む。
【００２５】
幾つかの実施形態において、本方法は、無線デバイスがＦＲ１と、第２周波数範囲（ＦＲ２）のための個別の無線周波数（ＲＦ）チェーンを使用すると決定することを含む。本方法は、また、無線デバイスがＦＲ１及びＦＲ２のための個別のＲＦチェーンを使用することをＳＮに通信することも含み得る。本方法は、また、ＳＮが第２周波数範囲（ＦＲ２）の測定ギャップ構成を構成することをＳＮに通信することを含み得る。幾つかの実施形態において、本方法は、ＦＲ１の測定ギャップ構成をＳＮに通信することを含む。本方法は、ＦＲ１の測定ギャップ構成を新しい構成に変更することと、新しい構成をＳＮに通信することと、を含み得る。本方法は、また、ＳＮからの通知を受信することを含み、この通知は、ＳＮがＦＲ２のための無線デバイスの測定ギャップ構成を修正したことをＭＮに通知する。特定の実施形態において、本方法は、ＳＮからの通知を受信することを含み、この通知は、ＳＮがＦＲ１のための無線デバイスの測定ギャップ構成を修正したことをＭＮに通知する。
【００２６】
幾つかの実施形態において、本方法は、ＳＮからの通知を受信することを含み、この通知は、ＳＮがＦＲ１の周波数を使用するサービングセルを追加又は削除したことをＭＮに通知する。特定の実施形態において、サービングセルはＮＲサービングセルである。特定の実施形態において、ＤＣ構成はＥＮ−ＤＣ構成であり、ＭＮはＬＴＥで動作し、ＳＮはＮＲで動作する。
【００２７】
測定ギャップ構成のためのマスターノード（ＭＮ）も開示される。ＭＮは、インタフェース回路に動作可能に接続される処理回路を含む。処理回路は、セカンダリノード（ＳＮ）及び無線デバイスとデュアルコネクティビティ（ＤＣ）構成で動作する様に構成され得る。構成された処理回路は、第１周波数範囲（ＦＲ１）の第１測定ギャップ構成及び第２周波数範囲（ＦＲ２）の第２測定ギャップ構成を構成する様に構成され、第１測定ギャップ構成は、無線デバイスがＦＲ１を測定することを可能にし、第２測定ギャップ構成は、無線デバイスがＦＲ２を測定することを可能にする。インタフェース回路は、第１測定ギャップ構成及び第２測定ギャップ構成を無線デバイスに送信する様に構成され得る。
【００２８】
測定ギャップ構成のためにマスターノード（ＭＮ）によって実行される方法も開示される。本方法は、セカンダリノード（ＳＮ）及び無線デバイスとデュアルコネクティビティ（ＤＣ）構成で動作することを含む。本方法は、第１周波数範囲（ＦＲ１）の第１測定ギャップ構成及び第２周波数範囲（ＦＲ２）の第２測定ギャップ構成で無線デバイスを構成することを含み、第１測定ギャップ構成は、無線デバイスがＦＲ１を測定することを可能にし、第２測定ギャップ構成は、無線デバイスがＦＲ２を測定することを可能にする。
【００２９】
幾つかの実施形態において、本方法は、無線デバイスがＦＲ１及びＦＲ２のための個別の無線周波数（ＲＦ）チェーンを使用すると決定することを含む。本方法は、また、ＳＮが無線デバイスのための測定ギャップ構成を構成する必要がないことをＳＮに通信することを含み得る。本方法は、ＦＲ１の第１測定ギャップ構成及びＦＲ２の第２測定ギャップ構成をＳＮに通信することをさらに含み得る。幾つかの実施形態において、本方法は、ＦＲ１の第１測定ギャップ構成、及び／又は、ＦＲの第２測定ギャップ構成を新しい構成に変更することと、新しい構成をＳＮに通信することと、を含む。特定の実施形態において、本方法は、メッセージをＳＮから受信することを含み、このメッセージは、ＭＮが無線デバイスのＦＲ１の第１測定ギャップ構成及びＦＲ２の第２測定ギャップ構成の少なくとも１つを修正することを要求する。
【００３０】
幾つかの実施形態において、本方法は、ＳＮから通知を受信することを含み、この通知は、ＳＮがＦＲ１及び／又はＦＲ２の１つ以上の周波数を使用するサービングセルを追加又は削除したことをＭＮに通知する。幾つかの実施形態において、サービングセルはＮＲサービングセルである。特定の実施形態において、ＤＣ構成はＮＥ−ＤＣ構成であり、ＭＮはＮＲで動作し、ＳＮはＬＴＥで動作する。
【００３１】
測定ギャップ構成のためのセカンダリノード（ＳＮ）も開示される。ＳＮは、インタフェース回路に動作可能に接続される処理回路を含む。処理回路は、マスタノード（ＭＮ）及び無線デバイスとデュアルコネクティビティ（ＤＣ）構成で動作する様に構成され得る。インタフェース回路は、ＭＮからメッセージを受信する様に構成され、メッセージは、無線デバイスのための、第１周波数範囲の第１測定ギャップ構成（ＦＲ１）及び第２周波数範囲（ＦＲ２）の第２測定ギャップ構成に関連する。
【００３２】
測定ギャップ構成のためにセカンダリノード（ＭＮ）によって実行される方法も開示される。本方法は、マスタノード（ＭＮ）及び無線デバイスとデュアルコネクティビティ（ＤＣ）構成で動作することを含む。本方法は、ＭＮからメッセージを受信することも含み、メッセージは、無線デバイスのための、第１周波数範囲（ＦＲ１）の第１測定ギャップ構成及び第２周波数範囲（ＦＲ２）の第２測定ギャップ構成の少なくとも１つの構成に関連する。
【００３３】
幾つかの実施形態において、メッセージは、ＳＮが無線デバイスのためにＦＲ１又はＦＲ２のいずれかの測定ギャップ構成を設定する必要がないことを示す。幾つかの実施形態において、本方法は、ＭＮからメッセージを受信することを含み、メッセージは、ＦＲ１及びＦＲ２の両方の測定ギャップ構成を示す。特定の実施形態において、このメッセージは、無線デバイスがＦＲ１及びＦＲ２のための個別の無線周波数（ＲＦ）チェーンを使用することを示す。本方法は、さらに、ＳＮがＦＲ２の測定ギャップ構成を構成する責任があるというＭＮからの通知を受信することを含む。幾つかの実施形態において、本方法は、ＦＲ１の測定ギャップ構成をＭＮから受信することを含む。
【００３４】
特定の実施形態において、本方法は、無線デバイスのＦＲ２の測定ギャップ構成を新しい構成に変更することと、新しい構成をＭＮに通信することと、を含む。幾つかの実施形態において、本方法は、無線デバイスの新しい構成を示すメッセージをＭＮから受信することを含み、新しい構成は、ＦＲ１の変更された測定ギャップ構成及びＦＲ２の変更された測定ギャップ構成の少なくとも１つを含む。特定の実施形態において、本方法は、ＦＲ１の測定ギャップ構成及びＦＲ２の測定ギャップ構成の少なくとも１つの新しい構成を決定することと、ＦＲ１及びＦＲ２の少なくとも１つの測定ギャップ構成を修正する要求をＭＮに通信することと、を含む。幾つかの実施形態において、ＤＣ構成はＥＮ−ＤＣ構成であり、ＭＮはＬＴＥで動作し、ＳＮはＮＲで動作する。
【００３５】
測定ギャップ構成のための無線デバイスも開示される。無線デバイスは、インタフェース回路に動作可能に接続される処理回路を含む。処理回路は、マスタノード（ＭＮ）及びセカンダリノード（ＳＮ）とデュアルコネクティビティ（ＤＣ）構成で動作する様に構成され得る。処理回路はまた、第１周波数範囲（ＦＲ１）及び第２周波数範囲（ＦＲ２）のための無線周波数（ＲＦ）チェーンを使用して動作し得る。インタフェース回路は、能力情報をＭＮに送信する様に構成され、能力情報は、無線デバイスがＦＲ１及びＦＲ２のための個別ＲＦチェーンをサポートするか、無線デバイスがＦＲ１及びＦＲ２のための共有ＲＦチェーンをサポートするかを示す。
【００３６】
測定ギャップ構成のために無線デバイスによって実行される方法も開示される。本方法は、マスタノード（ＭＮ）及びセカンダリノード（ＳＮ）とデュアルコネクティビティ（ＤＣ）構成で動作することを含む。本方法は、第１周波数範囲（ＦＲ１）及び第２周波数範囲（ＦＲ２）のための無線周波数（ＲＦ）チェーンを使用して動作することを、含む。本方法は、能力情報をＭＮに送信することも含み、能力情報は、無線デバイスがＦＲ１及びＦＲ２のための個別のＲＦチェーンをサポートするか、無線デバイスがＦＲ１及びＦＲ２のための共有ＲＦチェーンをサポートするかを示す。
【００３７】
幾つかの実施形態において、ＲＦチェーンは、ＦＲ１及びＦＲ２の共有ＲＦチェーンであり、本方法は、ＭＮから、ＦＲ１及びＦＲ２の両方のための測定ギャップ構成を受信することを含む。
【００３８】
幾つかの実施形態において、ＲＦチェーンは、ＦＲ１及びＦＲ２のための個別ＲＦチェーンである。本方法は、ＦＲ１の第１測定ギャップ構成をＭＮから受信し、ＦＲ２の第２測定ギャップ構成をＳＮから受信することをさらに含み得る。
【００３９】
幾つかの実施形態において、ＲＦチェーンは、ＦＲ１及びＦＲ２のための個別ＲＦチェーンである。幾つかの実施形態において、本方法は、ＦＲ１の第１測定ギャップ構成及びＦＲ２の第２測定ギャップ構成をＭＮから受信することを含む。
【００４０】
本開示のある実施形態は、１つ以上の技術的な利点を提供し得る。例えば、特定の実施形態においては、ＤＣ（例えば、ＥＮ−ＤＣ）で動作するＵＥが、異なるノード／ＲＡＴからの複数の測定ギャップ構成を効率的に管理することを可能にする。複数の測定ギャップ構成を管理することにより、ＵＥは、単一のＲＡＴ内の周波数範囲と複数のＲＡＴに跨り得る周波数範囲に属する複数の周波数で測定を効率的に実行できる。平均すると、ネットワークが測定ギャップを構成する頻度が低くなり、ネットワークの輻輳が軽減されるため、これによりリソース割り当てが強化され得る。本開示の実施形態は、また、２つ以上のネットワークで、及び／又は、２つ以上のネットワークノードと共に動作するときに、冗長な測定を制限することにより、ＵＥの電力消費を低減し得る。他の利点は、当業者には容易に理解され得る。
【００４１】
開示する実施形態、それらの特徴及び利点の完全な理解のため、添付の図面を参照して以下に詳細な説明を行う。
【図面の簡単な説明】
【００４２】
【図１】特定の実施形態による、例示的なＬＴＥ  ＤＣのユーザプレーンを示す図。
【図２】特定の実施形態による、ユーザプレーンでのＬＴＥ−ＮＲタイトインタワーキングの例を示す図。
【図３】特定の実施形態による、制御プレーンでのＬＴＥ−ＮＲタイトインタワーキングの例を示す図。
【図４】特定の実施形態による、例示的な無線ネットワークを示す図。
【図５】特定の実施形態による、例示的なユーザ装置を示す図。
【図６】特定の実施形態による、測定ギャップ構成のための無線デバイスにおける例示的な方法のフローチャート。
【図７Ａ】特定の実施形態による、測定ギャップ構成のためのマスタノード及びセカンダリノードにおける例示的な方法のフローチャート。
【図７Ｂ】特定の実施形態による、測定ギャップ構成のためのマスタノード及びセカンダリノードにおける例示的な方法のフローチャート。
【図７Ｃ】特定の実施形態による、測定ギャップ構成のためのマスタノード及びセカンダリノードにおける例示的な方法のフローチャートを示す。
【図７Ｄ】特定の実施形態による、測定ギャップ構成のためのマスタノード及びセカンダリノードにおける例示的な方法のフローチャート。
【図８】特定の実施形態による、例示的な無線デバイスを示す図。
【図９】特定の実施形態による、例示的なネットワークノードを示す図。
【図１０】特定の実施形態による、例示的な仮想化環境を示す図。
【図１１】特定の実施形態による、中間ネットワークを介してホストコンピュータに接続された例示的な通信ネットワークを示す図。
【図１２】特定の実施形態による、部分的な無線接続により基地局を介してユーザ機器と通信する例示的なホストコンピュータを示す図。
【図１３】特定の実施形態による、実行される方法のフローチャート。
【図１４】特定の実施形態による、通信システムで実行される方法を示すフローチャート。
【図１５】特定の実施形態による、通信システムで実行される方法を示すフローチャート。
【図１６】特定の実施形態による、通信システムで実行される方法のフローチャート。
【発明を実施するための形態】
【００４３】
上記の様に、現在、測定ギャップ構成に関連する特定の課題が存在する。たとえば、その実装／能力に応じて、ＵＥはＦＲ１及びＦＲ２周波数範囲で測定する様に構成される。ＥＮ−ＤＣが設定される前は、ＬＴＥ  ＲＲＣしか実行されていない可能性があるため、測定構成はＬＴＥ  ＲＲＣからの構成に従って実行される。ＵＥが個別ＲＦチェーンをサポートしている場合、ＬＴＥはＦＲ２周波数を使用しないため、ＦＲ２周波数で測定するための測定ギャップは潜在的に不要である（ただし、ＦＲ１との周波数間測定には測定ギャップが必要となり得る）。ただし、ＵＥが個別のチェーンをサポートしていない場合、ＦＲ２での測定には測定ギャップが必要になる。ＦＲ２の測定で、ＬＴＥの送受信が中断される。
【００４４】
ＥＮ−ＤＣの設定後、ＬＴＥ  ＲＲＣとＮＲ  ＲＲＣの両方が実行され、ＦＲ１とＦＲ２に別々のギャップが必要な場合、つまり、個別のＲＦチェーンの場合、ＦＲ１のギャップ構成は、ＬＴＥ、ＮＲ、又は、両方により実行され得る（ＮＲとＬＴＥの両方がサービングセルを持つことができ、ＦＲ１で測定を構成することもできる。）。ＦＲ２の場合、ＦＲ２がＬＴＥで使用されないとしても、ＬＴＥはＦＲ２での測定、たとえば、ＭＮがトリガするＳＮの変更に使用される測定を構成し得る。そのため、ＦＲ２のギャップ構成は、ＬＴＥ又はＮＲによって実行され得る。ただし、ＵＥはＦＲ１又はＦＲ２に複数の測定ギャップ構成を持つことができないため、ＵＥが適切な測定ギャップ構成を受信することを確実にするためには、ＭＮとＳＮの間にある程度の調整が必要である。
【００４５】
本開示は、これら及び既存のアプローチに関連する他の技術的問題に対処し得る様々な実施形態を企図する。幾つかの実施形態において、無線デバイスは、共有ＲＦチェーンを使用して動作し得る。特定の実施形態において、ＭＮは、無線デバイスが第１周波数範囲（ＦＲ１）及び第２周波数範囲（ＦＲ２）で測定することを可能にする測定ギャップ構成を、無線デバイスに構成し得る。幾つかの実施形態において、無線デバイスは、個別ＲＦチェーンを使用して動作し得る。特定の実施形態において、ＭＮは、無線デバイスがＦＲ１で測定することを可能にする測定ギャップ構成のみを、無線デバイスに構成し得る。ＳＮは、無線デバイスがＦＲ２で測定することを可能にする第２測定ギャップ構成を、無線デバイスに構成し得る。追加して、又は、代わりに、ＭＮは、無線デバイスがＦＲ１及びＦＲ２の両方で測定することを可能にする測定ギャップ構成を無線デバイスに構成し得る。図４〜図１６を参照して、実施形態の詳細を記述し、種々の図において、同様の参照符号が、同様及び対応する部分に使用される。
【００４６】
図４は、特定の実施形態による、例示的な無線ネットワークを示している。無線ネットワークは、任意のタイプの通信、電気通信、データ、セルラ、及び／又は、無線ネットワーク若しくは他の同様のタイプのシステムとインタフェースし得る。幾つかの実施形態において、無線ネットワークは、特定の標準又は他のタイプの事前定義されたルール又は手順に従って動作する様に構成され得る。この様に、無線ネットワークの特定の実施形態は、モバイル通信のためのグローバルシステム（ＧＳＭ）、ユニバーサルモバイルテレコミュニケーションシステム（ＵＭＴＳ）、ロングタームエボリューション（ＬＴＥ）、及び／又は、他の適切な２Ｇ、３Ｇ、４Ｇ又は５Ｇの様な通信規格、ＩＥＥＥ８０２．１１標準などの無線ローカルエリアネットワーク（ＷＬＡＮ）規格、及び／又は、ＷｉＭａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ブルートゥース、Ｚ−Ｗａｖｅ、及び／又は、ＺｉｇＢｅｅなどのその他の適切な無線通信規格を実装し得る。
【００４７】
ネットワーク１０６は、１つ以上のバックホールネットワークと、コアネットワークと、ＩＰネットワークと、公衆交換電話網（ＰＳＴＮ）と、パケットデータネットワークと、光ネットワークと、広域ネットワーク（ＷＡＮ）と、ローカルエリアネットワーク（ＬＡＮ）と、無線ローカルエリアネットワーク（ＷＬＡＮ）と、有線ネットワークと、無線ネットワークと、メトロポリタンエリアネットワークと、デバイス間の通信を可能にするその他のネットワークの内の１つ以上を含み得る。
【００４８】
ネットワークノード１６０及びＷＤ１１０は、以下でより詳細に説明される様々なコンポーネントを含む。これらのコンポーネントは連携して、無線ネットワークで無線接続を提供するなど、ネットワークノード及び／又は無線デバイス機能を提供する。異なる実施形態において、無線ネットワークは、任意の数の有線又は無線ネットワーク、ネットワークノード、基地局、コントローラ、無線デバイス、中継局、及び／又は、有線又は無線接続を介してデータ及び／又はシグナルの通信を促進又は参加し得る他のコンポーネント又はシステムを含み得る。
【００４９】
本明細書で使用される場合、ネットワークノードは、無線デバイスと直接又は間接的に通信する、及び／又は、無線ネットワーク内の他のネットワークノード又は機器と通信して、無線デバイスの無線アクセスを可能にする、及び／又は、提供できる、及び／又は、無線ネットワークにおいて他の機能（例えば、管理）を実行する様に構成、配置及び／又は動作可能な装置を指す。ネットワークノードの例は、アクセスポイント（ＡＰ）（たとえば、無線アクセスポイント）、基地局（ＢＳ）（たとえば、無線基地局、ノードＢ、進化型ノードＢ（ｅＮＢ）、及びＮＲ  ＮｏｄｅＢ（ｇＮＢｓ））を含むが、これらに限定されない。基地局は、提供するカバレッジの量（又は、言い方を変えると、それらの送信電力レベル）に基づいて分類され、フェムト基地局、ピコ基地局、マイクロ基地局、又はマクロ基地局として参照され得る。基地局は、中継ノード又は中継を制御する中継ドナーノードであり得る。ネットワークノードは、集中型デジタルユニット及び／又はリモート無線ユニット（ＲＲＵ）（リモート無線ヘッド（ＲＲＨ）とも呼ばれ得る）などの分散型無線基地局の１つ以上（又はすべて）の部分を含み得る。そのようなリモート無線ユニットは、アンテナ統合無線機としてアンテナと統合されていても、されていなくても良い。分散型無線基地局の一部は、分散型アンテナシステム（ＤＡＳ）のノードとも呼ばれ得る。ネットワークノードのさらに他の例には、ＭＳＲ  ＢＳなどのマルチスタンダード無線（ＭＳＲ）機器、無線ネットワークコントローラ（ＲＮＣ）又は基地局コントローラ（ＢＳＣ）などのネットワークコントローラ、基地局（ＢＴＳ）、送信ポイント、送信ノード、マルチセル／マルチキャスト調整エンティティ（ＭＣＥ）、コアネットワークノード（ＭＳＣ、ＭＭＥなど）、Ｏ＆Ｍノード、ＯＳＳノード、ＳＯＮノード、ポジショニングノード（Ｅ−ＳＭＬＣなど）及び／又はＭＤＴ等を含む。別の例として、ネットワークノードは、以下でより詳細に説明される様に、仮想ネットワークノードであり得る。しかしながら、より一般的には、ネットワークノードは、無線デバイスによる無線ネットワークへのアクセスを可能にする、及び／又は、無線デバイスによる無線ネットワークへのアクセスを提供するか、無線ネットワークにアクセスした無線デバイスに何らかのサービスを提供することができる、構成、配置、及び／又は、動作可能な任意の適切なデバイス（又はデバイスのグループ）を表し得る。
【００５０】
図４において、ネットワークノード１６０は、処理回路１７０、デバイス可読媒体１８０、インタフェース回路１９０、補助機器１８４、電源１８６、電力回路１８７、及び、アンテナ１６２を含む。図１の例示的な無線ネットワークに示されるネットワークノード１６０は、ハードウェアコンポーネントの図示された組み合わせを含むデバイスを表し得るが、他の実施形態は、コンポーネントの異なる組み合わせを有するネットワークノードを含み得る。ネットワークノードは、本明細書で開示されるタスク、特徴、機能、及び、方法を実行するために必要なハードウェア及び／又はソフトウェアの任意の適切な組み合わせを備えることを理解されたい。さらに、ネットワークノード１６０のコンポーネントは、より大きなボックス内に配置される単一のボックスとして示されるか、複数のボックス内にネストされるが、実際には、ネットワークノードは、単一の図示されたコンポーネント（例えば、デバイス読み取り可能媒体１８０は、複数の別個のハードドライブならびに複数のＲＡＭモジュールを含み得る）を構成する複数の異なる物理コンポーネントを含み得る。
【００５１】
同様に、ネットワークノード１６０は、それぞれが独自のコンポーネントを有し得る、複数の物理的に別個のコンポーネント（例えば、ＮｏｄｅＢコンポーネント及びＲＮＣコンポーネント、又は、ＢＴＳコンポーネント及びＢＳＣコンポーネント等）から構成され得る。ネットワークノード１６０が複数の別個のコンポーネント（例えば、ＢＴＳ及びＢＳＣコンポーネント）を含む特定のシナリオでは、別個のコンポーネントの１つ又は複数は、幾つかのネットワークノード間で共有され得る。たとえば、単一のＲＮＣが複数のノードＢを制御することができる。そのようなシナリオでは、一意のＮｏｄｅＢとＲＮＣの各ペアは、場合によっては単一の個別のネットワークノードと見なされる。幾つかの実施形態では、ネットワークノード１６０は、複数の無線アクセス技術（ＲＡＴ）をサポートする様に構成され得る。そのような実施形態では、幾つかの構成要素は複製され（例えば、異なるＲＡＴのための別個のデバイス可読媒体１８０）、幾つかの構成要素は再利用され得る（例えば、同じアンテナ１６２がＲＡＴによって共有され得る）。ネットワークノード１６０はまた、例えば、ＧＳＭ、ＷＣＤＭＡ、ＬＴＥ、ＮＲ、ＷｉＦｉ、又は、ブルートゥース無線技術など、ネットワークノード１６０に統合された異なる無線技術のための様々な図示されたコンポーネントの複数のセットを含み得る。これらの無線技術は、ネットワークノード１６０内の同じ又は異なるチップ又はチップのセット及び他のコンポーネントに統合され得る。
【００５２】
処理回路１７０は、ネットワークノードによって提供されるものとして本明細書で説明される任意の決定、計算、又は、同様の操作（たとえば、特定の取得操作）を実行する様に構成される。処理回路１７０によって実行されるこれらの動作は、たとえば、取得した情報を他の情報に変換する、取得した情報又は変換した情報をネットワークノードに格納された情報と比較する、及び／又は、得られた情報又は変換された情報に基づいて、１つ以上の動作を実行し、その処理の結果として決定することを含み得る。
【００５３】
処理回路１７０は、マイクロプロセッサ、コントローラ、マイクロコントローラ、中央処理装置、デジタル信号プロセッサ、特定用途向け集積回路、フィールドプログラマブルゲートアレイ、又は、他の任意の適切なコンピューティングデバイス、リソース、ハードウェア、ソフトウェアの組み合わせ、及び／又は、単独で、又は、デバイス可読媒体１８０、ネットワークノード１６０機能などの他のネットワークノード１６０コンポーネントと組み合わせて提供する様に動作可能なエンコードされたロジックの１つ以上の組み合わせを含み得る。たとえば、処理回路１７０は、デバイス可読媒体１８０又は処理回路１７０内のメモリに格納された命令を実行し得る。そのような機能は、本明細書で論じられる様々な無線機能、又は、利益のいずれかを提供することを含み得る。幾つかの実施形態では、処理回路１７０は、システムオンチップ（ＳＯＣ）を含み得る。
【００５４】
幾つかの実施形態では、処理回路１７０は、無線周波数（ＲＦ）トランシーバ回路１７２及びベースバンド処理回路１７４のうちの１つ以上を含み得る。幾つかの実施形態において、無線周波数（ＲＦ）トランシーバ回路１７２及びベースバンド処理回路１７４は、別個のチップ（又はチップのセット）、ボード、又は、無線ユニット及びデジタルユニットなどのユニット上にあり得る。代替の実施形態では、ＲＦトランシーバ回路１７２及びベースバンド処理回路１７４の一部又はすべては、同じチップ又はチップ、ボード、又はユニットのセット上にあり得る。
【００５５】
特定の実施形態において、ネットワークノード、基地局、ｅＮＢ又は他のそのようなネットワークデバイスによって提供されるものとして本明細書で説明される機能の一部又はすべては、デバイス可読媒体１８０又は処理回路１７０内のメモリに格納された命令を実行する処理回路１７０によって実行され得る。代替の実施形態では、機能の一部又はすべては、配線などの方法で、別個又は個別のデバイス可読媒体に格納された命令を実行することなく、処理回路１７０によって提供され得る。これらの実施形態のいずれにおいても、デバイス可読記憶媒体に格納された命令を実行するかどうかにかかわらず、処理回路１７０は、説明した機能を実行する様に構成することができる。そのような機能によって提供される利点は、処理回路網１７０単独又はネットワークノード１６０の他のコンポーネントに限定されず、全体としてネットワークノード１６０によって、及び／又は、一般にエンドユーザ及びワイヤレスネットワークによって享受される。
【００５６】
デバイス可読媒体１８０は、永続的ストレージ、ソリッドステートメモリ、リモートマウントされたメモリ、磁気媒体、光学媒体、ランダムアクセスメモリ（ＲＡＭ）、読み取り専用メモリ（ＲＯＭ）、大容量記憶媒体（ハードディスクなど）、リムーバブル記憶媒体（フラッシュドライブ、コンパクトディスク（ＣＤ）、デジタルビデオディスク（ＤＶＤ）など）、及び／又は、処理回路１７０によって使用され得る情報、データ及び／又は命令を記憶する、その他の揮発性若しくは不揮発性、非一時的なデバイス読み取り可能及び／又はコンピュータ実行可能メモリデバイスを含むがこれらに限定されない。デバイス可読媒体１８０は、コンピュータプログラムや、ソフトウェアや、ロジック、ルール、コード、テーブルなどの１つ以上を含むアプリケーションや、処理回路１７０によって実行可能であり、ネットワークノード１６０によって利用される他の命令を含む、任意の適切な命令、データ又は情報を格納し得る。デバイス可読媒体１８０は、処理回路１７０によって行われた任意の計算及び／又はインタフェース回路１９０を介して受信された任意のデータを格納するために使用され得る。幾つかの実施形態では、処理回路１７０及びデバイス可読媒体１８０は、統合されていると見なすことができる。
【００５７】
インタフェース回路１９０は、ネットワークノード１６０、ネットワーク１０６、及び／又は、ＷＤ１１０間のシグナリング及び／又はデータの有線又は無線通信で使用される。図示する様に、インタフェース回路１９０は、例えば、有線接続を介してネットワーク１０６との間でデータを送受信するためのポート／端子１９４を備える。インタフェース回路１９０は、アンテナ１６２に接続され、特定の実施形態においてアンテナ１６２の一部であり得る無線フロントエンド回路１９２も含む。無線フロントエンド回路１９２は、フィルタ１９８及び増幅器１９６を備える。無線フロントエンド回路１９２は、アンテナ１６２及び処理回路１７０に接続され得る。無線フロントエンド回路は、アンテナ１６２と処理回路１７０との間で通信される信号を調整する様に構成され得る。無線フロントエンド回路１９２は、無線接続を介して他のネットワークノード又はＷＤに送出されるデジタルデータを受信し得る。無線フロントエンド回路１９２は、フィルタ１９８及び／又は増幅器１９６の組み合わせを使用して、適切なチャネル及び帯域幅パラメータを有する無線信号にデジタルデータを変換し得る。そして、無線信号は、アンテナ１６２を介して送信され得る。同様に、データを受信した場合、アンテナ１６２は、無線信号を収集し、無線信号は、無線フロントエンド回路１９２によってデジタルデータに変換される。デジタルデータは、処理回路１７０に出力され得る。他の実施形態において、インタフェース回路は、異なるコンポーネント及び／又はコンポーネントの異なる組み合わせを含み得る。
【００５８】
特定の代替の実施形態において、ネットワークノード１６０は、個別の無線フロントエンド回路１９２を含まず、代わりに、処理回路１７０は、無線フロントエンド回路を含み、個別の無線フロントエンド回路１９２無しにアンテナ１６２に接続され得る。同様に、幾つかの実施形態において、ＲＦトランシーバ回路１７２の総て又は一部は、インタフェース回路１９０の一部と考えられ得る。さらに他の実施形態において、インタフェース回路１９０は、１つ以上のポート又は端末１９４、無線フロントエンド回路１９２、及び、ＲＦトランシーバ回路１７２を、無線ユニット（図示せず）の一部として含み、インタフェース回路１９０は、デジタルユニット（図示せず）の一部であるベースバンド処理回路１７４と通信し得る。
【００５９】
アンテナ１６２は、無線信号を送信及び／又は受信する様に構成された１つ以上のアンテナ又はアンテナアレイを含み得る。アンテナ１６２は、無線フロントエンド回路１９０に結合され、データ及び／又は信号を無線で送受信できる任意のタイプのアンテナであり得る。幾つかの実施形態において、アンテナ１６２は、例えば２ＧＨｚと６６ＧＨｚとの間で無線信号を送信／受信する様に動作可能な１つ以上の無指向性、セクタ又はパネルアンテナを含み得る。無指向性アンテナは、無線信号を任意の方向に送受信するために使用され、セクタアンテナは、特定のエリア内のデバイスから無線信号を送受信するために使用され、パネルアンテナは、無線信号を比較的直線的に送受信するために使用される見通し内アンテナであり得る。幾つかの例において、複数のアンテナの使用はＭＩＭＯとして参照され得る。特定の実施形態では、アンテナ１６２は、ネットワークノード１６０から分離され、インタフェース又はポートを介してネットワークノード１６０に接続可能であり得る。
【００６０】
アンテナ１６２、インタフェース回路１９０、及び／又は、処理回路１７０は、ネットワークノードによって実行されるものとして本明細書で説明される任意の受信動作及び／又は特定の取得動作を実行する様に構成され得る。任意の情報、データ、及び／又は、信号は、無線デバイス、別のネットワークノード及び／又は任意の他のネットワーク機器から受信され得る。同様に、アンテナ１６２、インタフェース回路１９０、及び／又は、処理回路１７０は、ネットワークノードによって実行されるものとして本明細書で説明される任意の送信動作を実行する様に構成され得る。任意の情報、データ、及び／又は、信号は、無線デバイス、別のネットワークノード及び／又は任意の他のネットワーク機器から送信され得る。
【００６１】
電源回路１８７は、電力管理回路を備える、或いは、電力管理回路に接続され、本明細書で説明される機能を実行するための電力を、ネットワークノード１６０の構成要素に供給する様に構成される。電源回路１８７は、電源１８６から電力を受け取ることができる。電源１８６及び／又は電源回路１８７は、それぞれのコンポーネントに適した形（例えば、各コンポーネントに必要なレベル電圧及び電流）で、ネットワークノード１６０の様々なコンポーネントに電力を供給する様に構成され得る。電源１８６は、電源回路１８７及び／又はネットワークノード１６０に含まれるか、それらの外部にあり得る。例えば、ネットワークノード１６０は、入力回路又は電力ケーブルの様なインタフェースを介して外部電源（例えば、電気コンセント）に接続可能であり、これにより、外部電源が電源回路１８７に電力を供給する。さらに別の例として、電源１８６は、電池又は電池パックの形の電源を含み、これらは、電源回路１８７に接続、又は、含まれる。外部電源が故障した場合、電池はバックアップ電力を提供し得る。光起電装置などの他のタイプの電源も使用され得る。
【００６２】
ネットワークノード１６０の他の実施形態は、上述した任意の機能及び／又は上述した主題をサポートするのに必要な任意の機能を含む、ネットワークノードの機能のある態様を提供するのに責任を負う、図４に示す以外の追加のコンポーネントを含み得る。例えば、ネットワークノード１６０は、ネットワークノード１６０への情報の入力を可能にし、ネットワークノード１６０からの情報の出力を可能にするユーザインタフェース機器を含み得る。これは、ユーザがネットワークノード１６０の診断、保守、修理、及び他の管理機能を実行できる様にし得る。
【００６３】
本明細書で使用される様に、無線デバイス（ＷＤ）は、ネットワークノード及び／又は他の無線デバイスと無線で通信することができる、その様に構成、配置され、及び／又は、その様に動作可能なデバイスを参照する。特に明記しない限り、ＷＤという用語は、本明細書ではユーザ装置（ＵＥ）と互換的に使用され得る。無線通信は、電磁波、電波、赤外線、及び／又は、空気を通じて情報を伝達するのに適した他のタイプの信号を使用して無線信号を送信及び／又は受信することを含み得る。幾つかの実施形態において、ＷＤは、人間との直接的な相互作用無しに情報を送信及び／又は受信する様に構成され得る。例えば、ＷＤは、内部又は外部のイベントによってトリガされたとき、又は、ネットワークからの要求に応じて、所定のスケジュールでネットワークに情報を送信する様に設計され得る。ＷＤの例は、スマートフォン、移動電話、携帯電話、ボイスオーバーＩＰ（ＶｏＩＰ）電話、無線ローカルループ電話、デスクトップコンピューター、携帯情報端末（ＰＤＡ）、無線カメラ、ゲームコンソール又はデバイス、音楽ストレージデバイス、再生装置、ウェアラブル端末デバイス、無線エンドポイント、モバイルステーション、タブレット、ラップトップ、ラップトップ組み込み機器（ＬＥＥ）、ラップトップ搭載機器（ＬＭＥ）、スマートデバイス、無線顧客宅内機器（ＣＰＥ）、車載無線端末デバイス等を含むが、これらに限定されない。ＷＤは、サイドリンク通信のための３ＧＰＰ標準、車車間（Ｖ２Ｖ）、車両対インフラ（Ｖ２Ｉ）、車両対総て（Ｖ２Ｘ）を実装することで、デバイス対デバイス（Ｄ２Ｄ）通信をサポートすることができ、この場合、Ｄ２Ｄ通信デバイスとしても参照され得る。さらに別の例として、ＩｏＴ（Ｉｎｔｅｒｎｅｔ  оｆ  Ｔｈｉｎｇｓ）シナリオにおいて、ＷＤは、監視及び／又は測定を実行し、そのような監視及び／又は測定の結果を別のＷＤ及び／又はネットワークノードに送信する機器又は他のデバイスを表し得る。この場合、ＷＤは、マシンツーマシン（Ｍ２Ｍ）デバイスであり、３ＧＰＰの文脈ではマシン型通信（ＭＴＣ）デバイスとして参照され得る。一例として、ＷＤは、３ＧＰＰ狭帯域ＩｏＴ（ＮＢ−ＩｏＴ）標準を実装するＵＥであり得る。そのような機器又はデバイスの例は、センサ、電力メータなどの計測デバイス、産業機械、又は、家庭用又は個人用機器（冷蔵庫、テレビなど）、個人用のウェアラブル（時計、フィットネストラッカー等）である。他のシナリオにおいて、ＷＤは、その動作状態又はその動作に関連する他の機能を監視及び／又は報告できる車両又は他の機器を表し得る。上記のＷＤは、無線接続の終端点を表し、その場合、デバイスは無線端末として参照され得る。さらに、上記のＷＤはモバイルであり、その場合、それはモバイルデバイス又はモバイル端末として参照され得る。
【００６４】
図示する様に、無線デバイス１１０は、アンテナ１１１、インタフェース回路１１４、処理回路１２０、デバイス可読媒体１３０、ユーザインタフェース機器１３２、補助機器１３４、電源１３６及び電源回路１３７を含む。ＷＤ１１０は、ＷＤ１１０によってサポートされる異なる無線技術のための、図示されたコンポーネントの１つ以上のセットを、複数、含むことができ、異なる無線技術のほんのいくつかを言及すると、ＧＳＭ、ＷＣＤＭＡ、ＬＴＥ、ＮＲ、ＷｉＦｉ、ＷｉＭＡＸ、又は、ブルートゥース無線技術等である。これらの無線技術は、ＷＤ１１０内の他のコンポーネントとして、同じ又は異なるチップ又はチップセットに統合され得る。
【００６５】
アンテナ１１１は、無線信号を送信及び／又は受信する様に構成された１つ以上のアンテナ又はアンテナアレイを含み、インタフェース回路１１４に接続され得る。特定の実施形態において、アンテナ１１１は、ＷＤ１１０から分離され、インタフェース又はポートを介してＷＤ１１０に接続可能であり得る。アンテナ１１１、インタフェース回路１１４及び／又は処理回路１２０は、ＷＤによって実行されるものとして本明細書で説明される任意の受信動作を実行する様に構成され得る。任意の情報、データ及び／又は信号は、ネットワークノード及び／又は別のＷＤから受信され得る。幾つかの実施形態では、無線フロントエンド回路及び／又はアンテナ１１１は、インタフェースと見なされ得る。
【００６６】
図示する様に、インタフェース回路１１４は、無線フロントエンド回路１１２及びアンテナ１１１を含む。無線フロントエンド回路１１２は、１つ以上のフィルタ１１８及び増幅器１１６を備える。無線フロントエンド回路１１４は、アンテナ１１１及び処理回路１２０に接続され、アンテナ１１１と処理回路１２０との間で通信される信号を調整する様に構成される。無線フロントエンド回路１１２は、アンテナ１１１に、又は、その部分に接続され得る。幾つかの実施形態において、ＷＤ１１０は、個別の無線フロントエンド回路１１２を含まず、むしろ、処理回路１２０は、無線フロントエンド回路を含み、アンテナ１１１に接続され得る。同様に、幾つかの実施形態では、ＲＦトランシーバ回路１２２の総て又は一部は、インタフェース回路１１４の一部と考えられ得る。無線フロントエンド回路１１２は、無線接続を介して他のネットワークノード又はＷＤに送出されるデジタルデータを受信し得る。無線フロントエンド回路１１２は、フィルタ１１８及び／又は増幅器１１６の組み合わせを使用して、適切なチャネル及び帯域幅パラメータを有する無線信号にデジタルデータを変換し得る。そして、無線信号は、アンテナ１１１を介して送信され得る。同様に、データを受信した場合、アンテナ１１１は、無線信号を収集し、無線信号は、無線フロントエンド回路１１２によってデジタルデータに変換される。デジタルデータは、処理回路１２０に出力され得る。他の実施形態において、インタフェース回路は、異なるコンポーネント及び／又はコンポーネントの異なる組み合わせを含み得る。
【００６７】
処理回路１２０は、マイクロプロセッサ、コントローラ、マイクロコントローラ、中央処理装置、デジタル信号プロセッサ、特定用途向け集積回路、フィールドプログラマブルゲートアレイ、又は、他の任意の適切なコンピューティングデバイス、リソース、ハードウェア、ソフトウェアの組み合わせ、及び／又は、単独で、又はデバイス可読媒体１３０、ＷＤ１１０機能などの他のＷＤ１１０コンポーネントと組み合わせて提供する様に動作可能なエンコードされたロジックの１つ以上の組み合わせを含み得る。そのような機能は、本明細書で論じられる様々な無線機能、又は、利益のいずれかを提供することを含み得る。たとえば、処理回路１２０は、本開示の機能を提供するために、デバイス可読媒体１３０又は処理回路１２０内のメモリに格納された命令を実行し得る。
【００６８】
図示する様に、処理回路１２０は、ＲＦトランシーバ回路１２２、ベースバンド処理回路１２４、及び、アプリケーション処理回路１２６のうちの１つ以上を含む。他の実施形態において、処理回路は、異なるコンポーネント及び／又はコンポーネントの異なる組み合わせを含み得る。特定の実施形態において、ＷＤ１１０の処理回路１２０は、ＳＯＣを含み得る。幾つかの実施形態では、ＲＦトランシーバ回路網１２２、ベースバンド処理回路網１２４、及び、アプリケーション処理回路網１２６は、別個のチップ又はチップのセット上にあり得る。代替実施形態において、ベースバンド処理回路１２４、アプリケーション処理回路１２６の一部又はすべてを１つのチップ又はチップのセットに結合することができ、ＲＦトランシーバ回路１２２は別のチップ又はチップのセットにあり得る。さらに別の実施形態において、ＲＦトランシーバ回路１２２及びベースバンド処理回路１２４の一部又はすべては、同じチップ又はチップセットにあり、アプリケーション処理回路１２２６は、別のチップ又はチップのセットにあり得る。さらに他の実施形態において、ＲＦトランシーバ回路網１２２、ベースバンド処理回路網１２４、及び、アプリケーション処理回路１２６は、同じチップ又はチップセットに結合され得る。幾つかの実施形態において、ＲＦトランシーバ回路１２２は、インタフェース回路１１４の一部と考えられ得る。ＲＦトランシーバ回路１２２は、処理回路１２０のためにＲＦ信号を調整し得る。
【００６９】
特定の実施形態においてＷＤによって実行されるものとして本明細書で説明される機能の一部又はすべては、特定の実施形態においては、コンピュータ可読記憶媒体であり得るデバイス可読媒体１３０に格納された命令を実行する処理回路１２０によって提供され得る。代替の実施形態において、機能の一部又はすべては、配線などの方法で、別個又は個別のデバイス可読媒体に格納された命令を実行することなく、処理回路１２０によって提供され得る。これらの実施形態のいずれにおいても、デバイス可読記憶媒体に格納された命令を実行するかどうかにかかわらず、処理回路１２０は、説明した機能を実行する様に構成することができる。そのような機能によって提供される利点は、処理回路網１２０単独又はＷＤ１１０の他のコンポーネントに限定されず、ＷＤ１１０によって、及び／又は一般にエンドユーザ及び無線ネットワークによって享受される。
【００７０】
処理回路１２０は、ＷＤによって提供されるものとして本明細書で説明される任意の決定、計算、又は、同様の操作（たとえば、特定の取得操作）を実行する様に構成される。処理回路１２０によって実行されるこれらの動作は、たとえば、取得した情報を他の情報に変換する、取得した情報又は変換した情報をＷＤ１１０に格納された情報と比較する、及び／又は、得られた情報又は変換された情報に基づいて、１つ以上の動作を実行し、その処理の結果として決定することを含む、処理回路１２０により得られる情報処理を含み得る。
【００７１】
デバイス可読媒体１３０は、コンピュータプログラム、ソフトウェア、ロジック、ルール、コード、テーブルなどの１つ以上を含むアプリケーション、及び／又は、処理回路１２０によって実行可能な他の命令を格納する様に動作可能であり得る。デバイス可読媒体１３０の例は、コンピュータメモリ（例えば、ランダムアクセスメモリ（ＲＡＭ）又はリードオンリーメモリ（ＲＯＭ））、マス記憶媒体（例えば、ハードディスクドライブ）、リムーバブル記憶媒体（例えば、コンパクトディスク（ＣＤ）又はデジタルビデオディスク（ＤＶＤ））、及び／又は、処理回路１２０が使用する、情報、データ、及び／又は命令を格納する、任意の他の揮発性若しくは不揮発性の非一時的なデバイス可読及び／又はコンピュータ実行可能メモリデバイスを含む。幾つかの実施形態では、処理回路１２０及びデバイス可読媒体１３０は、統合され得る。
【００７２】
ユーザインタフェース機器１３２は、人間のユーザがＷＤ１１０と相互作用することを可能にするコンポーネントを提供し得る。そのような相互作用は、視覚、聴覚、触覚などの多くの形態であり得る。ユーザインタフェース機器１３２は、ユーザへの出力を生成する様に動作可能であり、ユーザがＷＤ１１０に入力を提供することを可能にする。対話のタイプはＷＤ１１０にインストールされたユーザインタフェース装置１３２の種類に応じて異なり得る。例えば、ＷＤ１１０がスマートフォンである場合、相互作用は、タッチスクリーンを介して行われ、ＷＤ１１０がスマートメータである場合、対話は、使用状況を提供する画面（たとえば、使用されたガロン数）又は可聴アラートを提供するスピーカ（たとえば、煙が検出された場合）を介して行われ得る。ユーザインタフェース機器１３２は、入力インタフェース、デバイス及び回路、ならびに出力インタフェース、デバイス及び回路を含み得る。ユーザインタフェース機器１３２は、ＷＤ１１０への情報の入力を可能にする様に構成され、処理回路１２０が入力情報を処理することを可能にする様に処理回路１２０に接続される。ユーザインタフェース機器１３２は、例えば、マイクロフォン、近接又は他のセンサ、キー／ボタン、タッチディスプレイ、１つ以上のカメラ、ＵＳＢポート、又は他の入力回路を含み得る。ユーザインタフェース機器１３２はまた、ＷＤ１１０からの情報の出力を可能にし、処理回路１２０がＷＤ１１０からの情報を出力することを可能にする様に構成される。ユーザインタフェース機器１３２は、例えば、スピーカ、ディスプレイ、振動回路、ＵＳＢポート、ヘッドフォンインタフェイス、又はその他の出力回路を含み得る。ユーザインタフェース機器１３２の１つ以上の入力及び出力インタフェース、デバイス、及び回路を使用して、ＷＤ１１０は、エンドユーザ及び／又は無線ネットワークと通信し、それらが本明細書に記載の機能から利益を得ることができる。
【００７３】
補助機器１３４は、ＷＤによって一般的に実行されないより特別な機能を提供する様に動作可能である。これは、様々な目的のための測定を行うための特殊なセンサ、有線通信などの追加のタイプの通信のためのインタフェースを備え得る。補助機器１３４の構成要素及びタイプは、実施形態及び／又はシナリオに応じて異なり得る。
【００７４】
電源１３６は、幾つかの実施形態では、電池又は電池パックの形態であり得る。外部電源（例えば、電気コンセント）、光起電装置又は電力セルなどの他のタイプの電源も使用され得る。ＷＤ１１０は、本明細書に記載又は示される任意の機能を実行するために電源１３６からの電力を必要とするＷＤ１１０の様々な部分に、電源１３６からの電力を送達する電源回路１３７をさらに含み得る。電源回路１３７は、特定の実施形態では、電力管理回路を含み得る。電源回路１３７は、追加的又は代替的に、外部電源から電力を受け取る様に動作可能であり、その場合、ＷＤ１１０は、入力回路又は電力ケーブルなどのインタフェースを介して外部電源（コンセントなど）に接続可能であり得る。電源回路１３７はまた、特定の実施形態では、外部電源から電源１３６に電力を送達する様に動作可能であり得る。これは、例えば、電源１３６の充電のためであり得る。電源回路１３７は、電力が供給されるＷＤ１１０のそれぞれのコンポーネントに適した電力を生成するため、電源１３６からの電力の、任意のフォーマット、変換、又は他の修正を実行し得る。
【００７５】
開示される主題は、任意の適切なコンポーネントを使用する、任意の適切なシステムとして実現され得るが、開示する実施形態は、図４に示す例示的な無線ネットワーク等の、無線ネットワークに関連して説明される。簡略化のため、図４の無線ネットワークは、ネットワーク１０６、ネットワークノード１６０及び１６０ｂ、ＷＤ１１０、１１０ｂ及び１１０ｃのみを示しているが、任意の適切な数のネットワークノード１６０ａ〜ｎ及び任意の適切な数のＷＤ１１０ａ〜１１０ｎがあり得ることを理解する。実際には、無線ネットワークは、無線デバイス間、又は、無線デバイスと、固定電話、サービスプロバイダ、又は任意の他のネットワークノード又はエンドデバイスなどの別の通信デバイスとの間の通信をサポートするのに適した任意の追加要素をさらに含み得る。本明細書で使用される様に、図示されたコンポーネントのうち、ネットワークノード１６０及び無線デバイス（ＷＤ）１１０は、追加の詳細とともに示されている。無線ネットワークは、１つ以上の無線デバイスに通信及び他のタイプのサービスを提供して、無線ネットワークによって、又は無線ネットワークを介して提供されるサービスへの無線デバイスのアクセス及び／又は使用を容易にする。
【００７６】
図５は、特定の実施形態による、例示的なユーザ装置を示している。本明細書で使用される"ユーザ装置"又は"ＵＥ"は、関連するデバイスを所有及び／又は操作する人間のユーザの意味で"ユーザ"を必ずしも有する必要はない。代わりに、ＵＥは、人間のユーザへの販売又は人間のユーザによる操作を目的とするが、最初は特定の人間のユーザに関連付けられていないデバイス（例えば、スマートスプリンクラーコントローラ）を表し得る。代わりに、ＵＥは、エンドユーザへの販売又はエンドユーザによる操作を目的としないが、ユーザの利益のために関連付けられるか又は操作され得るデバイス（例えば、スマートパワーメータ）を表し得る。ＵＥ２００は、ＮＢ−ＩｏＴ  ＵＥ、マシン型通信（ＭＴＣ）ＵＥ、及び／又は、拡張ＭＴＣ（ＥＭＴＣ）ＵＥを含む、第３世代パートナーシッププロジェクト（３ＧＰＰ）により特定される任意のＵＥであり得る。図５に示す様に、ＵＥ２００は、３ＧＰＰのＧＳＭ、ＵＭＴＳ、ＬＴＥ及び／又は５Ｇ規格など、第３世代パートナーシッププロジェクト（３ＧＰＰ）によって公布された、ＧＳＭ、ＵＭＴＳ、ＬＴＥ及び／又は５Ｇ等の１つ以上の通信規格に従って通信する様に構成されたＷＤの一例である。上述した様に、用語ＷＤ及びＵＥは、総合に交換可能であり得る。したがって、図２ではＵＥであるが、以下の述べるコンポーネントは、ＷＤにも等しく適用でき、その逆も同様である。
【００７７】
図５において、ＵＥ２００は、動作可能入力／出力インタフェース２０５、無線周波数（ＲＦ）インタフェース２０９、ネットワーク接続インタフェース２１１、ランダムアクセスメモリ（ＲＡＭ）２１７、読み出し専用メモリ（ＲＯＭ）２１９及び記憶媒体２２１等を含むメモリ２１５、通信サブシステム２３１、電源２３３、及び／又は、任意の他のコンポーネント若しくはそれらの任意の組み合わせと動作可能に接続された処理回路２０１を含む。記憶媒体２２１は、オペレーティングシステム２２３、アプリケーションプログラム２２５、及び、データ２２７を含む。他の実施形態において、記憶媒体２２１は、他の同様のタイプの情報を含み得る。特定のＵＥは、図１３に示されるコンポーネントのすべて、又はコンポーネントのサブセットのみを利用することができる。コンポーネント間の統合のレベルは、ＵＥごとに異なる。さらに、特定のＵＥは、複数のプロセッサ、メモリ、トランシーバ、送信機、受信機などのコンポーネントの複数のインスタンスを含み得る。
【００７８】
図５において、処理回路２０１は、コンピュータ命令及びデータを処理する様に構成され得る。処理回路２０１は、メモリに機械可読コンピュータプログラムとして格納された機械命令を実行する様に動作する任意の順次状態マシンとして構成することができ、順次状態マシンは、例えば、１つ以上のハードウェア実装状態マシン（例えば、非離散論理、ＦＰＧＡ、ＡＳＩＣ等）、適切なファームウェアを有するプログラマブルロジック、１つ以上の格納プログラム、マイクロプロセッサ又はデジタル信号プロセッサ（ＤＳＰ）の様な適切なソフトウェアを有する汎用処理回路、或いは、それらの任意の組み合わせである。例えば、処理回路２０１は、２つの中央処理ユニット（ＣＰＵ）を含み得る。データは、コンピュータによる使用に適した形式の情報である。
【００７９】
本実施形態において、入力／出力インタフェース２０５は、入力デバイス、出力デバイス、又は、入出力デバイスに通信インタフェースを提供する様に構成され得る。ＵＥ２００は、入出力インタフェース２０５を介して出力デバイスを使用する様に構成され得る。出力デバイスは、入力デバイスと同じタイプのインタフェースポートを使用し得る。例えば、ＵＳＢポートは、ＵＥ２００への入力と、ＵＥ２００からの出力と、を提供するために使用され得る。出力デバイスは、スピーカ、サウンドカード、ビデオカード、ディスプレイ、モニタ、プリンタ、アクチュエータ、エミッタ、スマートカード、他の出力装置、或いは、それらの任意の組み合わせであり得る。ＵＥ２００は、ユーザがＵＥ２００に情報を取り込むことを可能にするために、入力／出力インタフェース２０５を介して入力デバイスを使用する様に構成され得る。入力デバイスは、タッチセンシティブ又はプレゼンスセンシティブディスプレイ、カメラ（例えば、デジタルカメラ、デジタルビデオカメラ、ウェブカメラなど）、マイク、センサ、マウス、トラックボール、方向パッド、トラックパッド、スクロールホイール、スマートカードなどを含み得る。プレゼンスセンシティブディスプレイは、ユーザからの入力を感知するための容量性又は抵抗性タッチセンサを含み得る。センサは、例えば、加速度計、ジャイロスコープ、傾斜センサ、力センサ、磁力計、光学センサ、近接センサ、他の同様のセンサ、又は、それらの任意の組み合わせであり得る。例えば、入力装置は、加速度計、磁力計、デジタルカメラ、マイクロフォン、及び、光学センサであり得る。
【００８０】
図５において、ＲＦインタフェース２０９は、送信機、受信機及びアンテナ等のＲＦコンポーネントに通信インタフェースを提供する様に構成され得る。ネットワーク接続インタフェース２１１は、通信インタフェースをネットワーク２４３ａに提供する様に構成され得る。ネットワーク２４３ａは、ローカルエリアネットワーク（ＬＡＮ）、ワイドエリアネットワーク（ＷＡＮ）、コンピュータネットワーク、無線ネットワーク、通信ネットワーク、他の同様のネットワーク、或いは、それらの任意の組み合わせ等の、有線及び無線通信ネットワークを含み得る。例えば、ネットワーク２４３ａは、Ｗｉ−Ｆｉネットワークを含み得る。ネットワーク接続インタフェース２１１は、イーサネット（登録商標）、ＴＣＰ／ＩＰ、ＳＯＮＥＴ、ＡＴＭ等の１つ以上の通信プロトコルに従い、通信ネットワークを介して１つ以上の他のデバイスと通信するために使用される受信機及び送信機インタフェースを含む様に構成され得る。ネットワーク接続インタフェース２１１は、通信ネットワークリンクに適切な受信機及び送信機機能（例えば、光、電気等）を実現し得る。送信機機能及び受信機機能は、回路コンポーネント、ソフトウェア又はファームウェアを共有してもよく、あるいはその代わりに別々に実装されてもよい。
【００８１】
ＲＡＭ２１７は、オペレーティングシステム、アプリケーションプログラム、及び、デバイスドライバなどのソフトウェアプログラムの実行中にデータ又はコンピュータ命令の記憶又はキャッシングを提供するためにバス２０２を介して処理回路２０１にインタフェースする様に構成され得る。ＲＯＭ２１９は、コンピュータ命令又はデータを処理回路２０１に提供する様に構成され得る。例えば、ＲＯＭ２１９は、基本入出力（Ｉ／Ｏ）、不揮発性メモリに記憶されているキーボードからのキーストロークの起動又は受信等の基本システム機能のための不変の低レベルシステムコード又はデータである様に構成され得る。記憶媒体２２１は、ＲＡＭ、ＲＯＭ、プログラム可能読み出し専用メモリ（ＰＲＯＭ）、消去可能プログラマブル読み出し専用メモリ（ＥＰＲＯＭ）、電気的消去可能プログラマブル読み出し専用メモリ（ＥＥＰＲＯＭ）、磁気ディスク、光ディスク、フロッピーディスク、ハードディスク、リムーバブルカートリッジ、フラッシュドライブ等のメモリを含む様に構成され得る。一例では、記憶媒体２２１は、オペレーティングシステム２２３、ウェブブラウザアプリケーション、ウィジェット若しくはガジェットエンジ、又は、他のアプリケーション等のアプリケーションプログラム２２５、データファイル２２７を含む様に構成され得る。記憶媒体２２１は、ＵＥ２００による使用のために、様々なオペレーティングシステム又はオペレーティングシステムの組み合わせを格納し得る。
【００８２】
記憶媒体２２１は、独立ディスクの冗長アレイ（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）、光ディスクドライブ、内蔵ハードディスクドライブ、ブルーレイ光ディスクドライブ、ホログラフィックデジタルデータストレージ（ＨＤＤＳ）、光ディスクドライブ、外部ミニデュアルインラインメモリモジュール（ＤＩＭＭ）、同期ダイナミックランダムアクセスメモリ（ＳＤＲＡＭ）、外部マイクロＤＩＭＭ  ＳＤＲＡＭ、加入者識別モジュール又はリムーバブルユーザ識別（ＳＩＭ／ＲＵＩＭ）モジュール等のスマートカードメモリ、他のメモリ、或いは、それらの任意の組み合わせといった、複数の物理ドライブユニットを含む様に構成され得る。記憶媒体２２１は、ＵＥ２００が、一時的又は非一時的メモリ媒体に記憶されたコンピュータ実行可能命令、アプリケーションプログラム等にアクセスすること、データをオフロードすること、データをアップロードすることを可能にし得る。通信システムを利用する製造品は、コンピュータ可読媒体を含み得る記憶媒体２２１内に有形に具体化することができる。
【００８３】
図５において、処理回路２０１は、通信サブシステム２３１を使用してネットワーク２４３ｂと通信する様に構成され得る。ネットワーク２４３ａ及びネットワーク２４３ｂは、同じネットワーク、又は、異なる複数のネットワークであり得る。通信サブシステム２３１は、ネットワーク２４３ｂと通信するために使用される１つ以上のトランシーバを含む様に構成され得る。例えば、通信サブシステム２３１は、ＩＥＥＥ８０２、ＣＤＭＡ、ＷＣＤＭＡ、ＧＳＭ、ＬＴＥ、ＵＴＲＡＮ、ＷｉＭＡＸといった、１つ以上の通信プロトコルに従って、別のＷＤ、ＵＥ又は無線アクセスネットワーク（ＲＡＮ）の基地局の様な無線通信が可能な他のデバイスの１つ以上の遠隔トランシーバと通信するために使用される１つ以上のトランシーバを含む様に構成され得る。各トランシーバは、ＲＡＮリンク（例えば、周波数割り当てなど）に適切な、送信機又は受信機の機能それぞれを実現するための送信機２３３及び／又は受信機２３５を含み得る。さらに、各トランシーバの送信機２３３及び受信機２３５は、回路コンポーネント、ソフトウェア、ファームウェアを共有してもよく、あるいは別々に実装されてもよい。
【００８４】
図示する実施形態において、通信サブシステム２３１の通信機能は、データ通信、音声通信、マルチメディア通信、ブルートゥースなどの近距離通信、近距離無線通信、位置を判定するための全地球測位システム（ＧＰＳ）の使用などの位置ベースの通信、他の同様の通信機能、或いは、それらの任意の組み合わせを含み得る。例えば、通信サブシステム２３１は、セルラ通信、Ｗｉ−Ｆｉ通信、ブルートゥース通信、ＧＰＳ通信を含み得る。ネットワーク２４３ａは、ローカルエリアネットワーク（ＬＡＮ）、ワイドエリアネットワーク（ＷＡＮ）、コンピュータネットワーク、無線ネットワーク、通信ネットワーク、他の同様のネットワーク、或いは、それらの任意の組み合わせ等の、有線及び無線通信ネットワークを含み得る。例えば、ネットワーク２４３ｂは、セルラネットワーク、Ｗｉ−Ｆｉネットワーク、及び／又は近距離無線ネットワークであり得る。電源２１３は、ＵＥ２００のコンポーネントに交流（ＡＣ）電力又は直流（ＤＣ）電力を供給する様に構成され得る。
【００８５】
本開示の特徴、利点及び／又は機能は、ＵＥ２００のコンポーネントのうちの１つに実装することも、ＵＥ２００の複数のコンポーネントにわたって分割することもできる。さらに、本開示の特徴、利点及び／又は機能は、ハードウェア、ソフトウェア、ファームウェアの任意の組み合わせで実現され得る。一例において、通信サブシステム２３１は、本開示のコンポーネントのいずれかを含む様に構成され得る。さらに、処理回路２０１は、バス２０２を介してそのようなコンポーネントのうちのいずれかと通信する様に構成され得る。別の例において、そのようなコンポーネントのうちのいずれかは、メモリに格納されたプログラム命令によって表され、処理回路２０１で実行されると、本開示の対応する機能を実行する。別の例において、そのようなコンポーネントのうちのいずれかの機能は、処理回路２０１と通信サブシステム２３１とに分割され得る。別の例において、そのようなコンポーネントのうちのいずれかの非計算集約的機能は、ソフトウェア又はファームウェアで実装され、計算集約的機能はハードウェアで実装され得る。
【００８６】
測定ギャップ構成
本開示の実施形態は、デュアルコネクティビティのシナリオにおける測定ギャップ構成のためのシステム及び方法を説明する。特定の実施形態において、デュアルコネクティビティ構成はＥＮ−ＤＣ構成であり、ＬＴＥノード（例えば、ｅＮＢ）がマスタノード（例えば、ＭｅＮＢ）であり、ＮＲノード（例えば、ｇＮＢ）がセカンダリノード（例えば、ａＮＢ）である。しかしながら、本開示の実施形態は、他のＤＣ構成（例えば、ＮＥ−ＤＣ、ＮＲ−ＤＣ、ＭＲ−ＤＣ）にも適用され得る。たとえば、特定の実施形態において、ＮＲノードは、マスタノード（たとえば、ＭｇＮＢ）として動作することができ、ＬＴＥノードは、セカンダリ（たとえば、ＳｅＮＢ）として動作し得る。さらに、特定の実施形態において、マスタノード及びセカンダリノードは、ＮＲ及び／又はＬＴＥ以外の無線アクセス技術を利用し得る。
【００８７】
特定の実施形態によると、ＥＮ−ＤＣであるとき、測定ギャップ構成（ＦＲ１及びＦＲ２の両方）は、ＬＴＥによって処理され得る。これらの実施形態において、ＮＲが測定ギャップを必要とする場合、ＥＮ−ＤＣを設定した後、ＮＲはＬＴＥをシグナリングし得る。測定ギャップの変更はＬＴＥを介して適用され得る。ＵＥ１１０は、単一の測定ギャップ構成を維持し得る。幾つかの実施形態において、手順を簡略化することが可能であり得る（例えば、競合状態を解決する必要がない）。
【００８８】
幾つかの実施形態において、測定ギャップの構成（ＦＲ１及びＦＲ２の両方）は、ＮＲによって処理され得る。例えば、ＬＴＥはＦＲ１ギャップのみを構成でき、ＮＲはＦＲ１及びＦＲ２ギャップの一方又は両方を処理できる。幾つかの実施形態において、ＵＥ１１０は、単一の測定ギャップ構成を維持する。特定の実施形態によると、ＥＮ−ＤＣ（ＮＲ  ＰＳＣｅｌｌ）の際、ＮＲは、ＦＲ２測定ギャップのみを構成することができ、ＬＴＥは、ＦＲ１ギャップを構成することのみが可能である。したがって、特定の実施形態において、ＮＲとＬＴＥとの間の測定ギャップの構成の間に、あるレベルの独立性が存在する。例えば、ＮＲがＦＲ１を構成する必要がある場合、ＬＴＥを介して構成を行う必要があり得る。
【００８９】
特定の実施形態において、ＭＮ１６０Ａ及びＳＮ１６０Ｂがデュアルコネクティビティで動作しているとき、１つ以上のノード間メッセージを利用して、測定ギャップ構成を調整し得る。例えば、ＭＮ１６０Ａ及びＳＮ１６０Ｂは、測定ギャップ調整のためにＣＧ−Ｃｏｎｆｉｇ及び／又はＣＧ−ＣｏｎｆｉｇＩｎｆｏメッセージを使用し得る。これらのメッセージは、適切な数の情報要素を有し得る。説明すると、幾つかの実施形態において、ＳＮ１６０Ｂは、ＳＮ１６０Ｂが測定ギャップ構成のために無線デバイス１１０を構成している周波数を示すメッセージをＭＮ１６０Ａに送信し得る。例えば、ＳＮ１６０Ｂは、ＣＧ−Ｃｏｎｆｉｇ（例えば、情報要素ＭｅａｓＣｏｎｆｉｇＳＮを含む）を利用して、無線デバイス１１０の測定ギャップ構成をＭＮ１６０Ａと調整し得る。同様に、幾つかの実施形態において、ＭＮ１６０Ａは、ＭＮ１６０Ａが測定ギャップ構成のために無線デバイス１１０を構成している周波数を示すメッセージをＳＮ１６０Ｂに送信し得る。より具体的には、ＭＮ１６０Ａは、無線デバイス１１０の測定ギャップ構成、及び／又は、測定ギャップ構成がすべての周波数用であるか、ＦＲ１周波数のみのためであるかを示す表示を含み得る。例えば、ＭＮ１６０Ａは、ＣＧ−ＣｏｎｆｉｇＩｎｆｏ（例えば、情報要素ＭｅａｓＣｏｎｆｉｇＭＮを含む）を利用して、無線デバイス１１０の測定ギャップ構成をＳＮ１６０Ｂと調整し得る。
【００９０】
特定の実施形態において、例えば、ＬＴＥ  ＲＲＣといった１つのＲＡＴによって提供され、所与の周波数範囲に対する測定ギャップ構成がＵＥによって処理され得る場合において、ｍｅａｓＧａｐＣｏｎｆｉｇが設定のために設定される場合において、測定ギャップ設定が既に"設定"されている場合、ＵＥ１１０は、測定ギャップ設定を解放し得る。特定の実施形態において、ＲＲＣ接続のＵＥ１１０は、１つ以上のＲＡＴからであり得る１つ以上のノード１６０によって構成され得る測定ギャップ構成を管理し得る。特定の実施形態において、異なるＲＡＴは、ＬＴＥ及びＮＲを含み得る。特定の実施形態によると、異なるＵＥ１１０の動作は、ギャップ構成に依存し得る。以下では、そのようなシナリオの非限定的な例について説明する。
【００９１】
ＥＮ−ＤＣが設定される前
特定の実施形態において、ＵＥ１１０は、ＬＴＥに接続され、ＮＲキャリア周波数及びＬＴＥキャリア周波数の両方で測定を実行する必要があり得る（例えば、ＵＥ１１０は、ｍｅａｓＯｂｊｅｃｔＥＵＴＲＡ及びｍｅａｓＯｂｊｅｃｔＮＲの両方を含み得る測定オブジェクトのリストで構成されている）。一実施形態において、ＵＥ１１０は、ＬＴＥ  ＲＲＣによって提供される測定ギャップ構成を受信及び処理し、ＬＴＥからの"設定"を伴うギャップ構成の受信は、他の構成の除去及び再構成につながる。新しい構成により、ＵＥはそれに応じて測定を実行する。ギャップ構成は、ＦＲ１に関連する構成に関連付けられる、及び／又は、ギャップ構成は、ＦＲ２に関連する構成に関連付けられ得る。
【００９２】
ＵＥがＥＮ−ＤＣである間
特定の実施形態において、ＵＥ１１０は、ＬＴＥ  ＰＣｅｌｌ及び少なくとも１つのＮＲ  ＳＣｅｌｌを有する。一実施形態において、ＥＮ−ＤＣにおいてさえ、ＵＥ１１０は、ＬＴＥ  ＲＲＣによって提供される測定ギャップ構成を受信及び処理し、ＬＴＥからの"設定"を伴うギャップ構成の受信は、他の構成の除去及び再構成につながる。新しい構成により、ＵＥ１１０はそれに応じて測定を実行し得る。ギャップ構成は、ＦＲ１関連の構成に関連付けられ得る。実施形態の幾つかのセットにおいて、このＦＲ１ギャップ構成は、その周波数範囲内で構成されたＬＴＥ及びＮＲ測定を実行するために、ＵＥ１１０によって使用される。ギャップ構成は、ＦＲ２関連の構成に関連付けられ得る。実施形態の幾つかのセットにおいて、このＦＲ２ギャップ構成は、その周波数範囲内で構成されたＮＲ測定を実行するために、ＵＥによって使用される。
【００９３】
別の実施形態において、ＵＥ１１０は、ＬＴＥ  ＲＲＣ及びＮＲ  ＲＲＣによって提供される測定ギャップ構成を処理し得る。異なる実施形態においては、定義された異なるルールがあり得る。例えば、どのような正確なギャップ構成がＬＴＥ及びＮＲにより提供され得るかと、どの様にＵＥ１１０が、これらの構成を処理するか。幾つかの実施形態において、ＦＲ１構成のみがＬＴＥによって提供され、ＬＴＥのみがＦＲ１を構成し得る。また、ＦＲ２は、ＮＲによってのみ構成され、ＮＲのみがＦＲ２のための構成を提供し得る。その場合、ＵＥ１１０は、１つがＦＲ１用であり、もう１つがＦＲ２測定用である２つの測定ギャップ構成を維持することができる。ＵＥ１１０は両方のギャップ構成を管理できるが、ＬＴＥのみがＦＲ１を再構成でき、ＮＲのみがＦＲ２を再構成できる。特定の実施形態において、ＲＡＴ（例えば、ＬＴＥ）がＦＲ１を構成するという事実は、他のＲＡＴ（例えば、ＮＲ）がその周波数範囲で測定を構成できないことを意味しない。この実施形態において、ＮＲがＦＲ１測定を構成したい場合、ＦＲ１のギャップを構成する責任があるＬＴＥと調整する必要がある。また、ＬＴＥがＦＲ２でＮＲ測定を構成したい場合、ＬＴＥは、ＮＲと調整する必要がある。
【００９４】
別の例として、ＦＲ２ギャップ構成は、ＮＲによってのみ提供され得る。したがって、ＬＴＥがＦＲ２のＮＲ測定オブジェクトを構成したい場合、ＬＴＥはＮＲと調整する必要があり、その結果、ＮＲは、ＦＲ２の新しいギャップ構成でＵＥを再構成できる。この実施形態において、ＦＲ１ギャップ構成は、ＮＲ又はＬＴＥのいずれかによって構成され得る。また、ＵＥは、ＬＴＥ又はＮＲからのＦＲ１構成を再構成できる。
【００９５】
本開示の態様をさらに説明するために、以下の実施形態が議論される。
【００９６】
例示的実施形態：共有ＲＦチェーン
第１の例示的な実施形態において、ＵＥ１１０は、共有ＲＦチェーンを利用し得る。例えば、ＭＮ１６０Ａは、ＵＥがＦＲ１とＦＲ２の共有ＲＦチェーンを使用すると決定したことに応じて、ＵＥ１１０を、ＦＲ１とＦＲ２の両方の測定に適した測定ギャップと、単一（共有）ＲＦチェーンで構成し得る。特定の実施形態において、ＭＮ１６０Ａは、ＳＮ１６０Ｂの追加に応答して、ＳＮ１６０Ｂが、ＵＥ１１０のための測定ギャップ構成を構成する必要がないことをＳＮ１６０Ｂに通信する。幾つかの実施形態において、ＭＮ１６０Ａは、ＳＮ１６０Ｂの追加に応答して、ＵＥ１１０の測定ギャップ構成と、それが、ＦＲ１のためであるか、ＦＲ２のためであるか、両方のためであるかをＳＮ１６０Ｂに通信する。
【００９７】
幾つかの実施形態において、ＭＮ１６０Ａは、ＵＥ１１０の測定ギャップ構成を変更すると、測定ギャップ構成をＳＮ１６０Ｂに通信する。幾つかの実施形態において、ＭＮ１６０ＡがＵＥ１１０の測定ギャップ構成を変更すると、ＵＥ１１０は、新しい測定ギャップ構成をＳＮ１６０Ｂに通信する。
【００９８】
幾つかの実施形態において、ＵＥ１１０は、ＦＲ１周波数又はＦＲ２周波数のみを利用し得る。ＦＲ１周波数のみが測定される場合、ＭＮ１６０Ａは、ＦＲ１周波数に適切な測定ギャップ構成パターンを設定する。特定の実施形態において、ＦＲ２周波数のみが測定される場合、ＭＮ１６０Ａは、ＦＲ２周波数に適切な測定ギャップ構成パターンを設定する。幾つかの実施形態において、ＦＲ１及びＦＲ２周波数の両方が測定される場合、ＭＮ１６０Ａは、ＦＲ１及びＦＲ２周波数の両方に適切な測定ギャップ構成パターンを設定する。
【００９９】
幾つかの実施形態において、ＵＥ１１０の測定ギャップがアクティブである間、ＳＮ１６０Ｂは、ＵＥ１１０をスケジューリングすることを控え、ＵＥ１１０は、そのギャップにおいてＳＮ１６０Ｂと送受信しない。幾つかの実施形態において、ＳＮ１６０ＢがＵＥ１１０の測定構成を修正（例えば、ＳＮ１６０Ｂが幾つかの周波数の測定を追加又は削除する）と、ＳＮ１６０Ｂは、それをＭＮ１６０Ａに通知する。幾つかの実施形態において、ＭＮ１６０ＡがＳＮ１６０Ｂから、ＳＮ１６０Ｂの測定構成の変更についての通知を受信した場合、ＵＥ１１０の測定ギャップ構成を、必要に応じて再構成し、ＵＥの新たな測定ニーズに適合させ、例えば、測定ギャップがＭＮ１６０ＡとＳＮ１６０Ｂの両方の構成された測定値を測定するのに十分であることを確実にする。
【０１００】
前述の例は、任意の適切なＤＣ構成を利用し得る。例えば、ＵＥ１１０が共有ＲＦチェーンを使用する一実施形態において、ＤＣ構成は、ＥＮ−ＤＣ構成であり得る。ＭＮ１６０Ａは、ＬＴＥにおいてＭｅＮＢ１６０Ａとして動作し、ＳＮ１６０Ｂは、ＮＲにおいてＳｇＮＢ１６０Ｂとして動作し得る。
【０１０１】
例示的実施形態：ＦＲ１を構成する個別ＲＦチェーン
第２の例示的な実施形態において、ＵＥ１１０は、個別ＲＦチェーンを利用し得る。例えば、ＭＮ１６０Ａは、ＵＥがＦＲ１とＦＲ２の個別ＲＦチェーンを使用すると決定したことに応じて、ＵＥを、ＦＲ１周波数の測定に適した測定ギャップで構成し得る。例えば、ＵＥ１１０は、ＵＥ１１０がＦＲ１及びＦＲ２のための個別ＲＦチェーンをサポートするか、共有ＲＦチェーンをサポートするかをネットワークに示し得る。幾つかの実施形態において、ＭＮ１６０Ａは、ＳＮ１６０Ｂの追加に応答して、ＵＥがＦＲ１及びＦＲ２の個別ＲＦチェーンを有し、ＦＲ２の測定ギャップ構成がＭＮ１６０Ａにより構成されるかをＳＮ１６０Ｂに通信する。幾つかの実施形態において、ＭＮ１６０Ａは、ＳＮ１６０Ｂの追加に応答して、ＵＥのＦＲ１周波数のための測定ギャップ構成をＳＮ１６０Ｂに通信する。
【０１０２】
ＵＥの測定ギャップの変更は、さまざまな方法で処理され得る。幾つかの実施形態において、ＭＮ１６０Ａは、ＵＥのＦＲ１周波数の測定ギャップ構成を変更すると、ＦＲ１の測定ギャップ構成をＳＮ１６０Ｂに通信する。特定の実施形態において、ＭＮ１６０ＡがＵＥのＦＲ１周波数の測定ギャップ構成を変更すると、ＵＥは、新しい測定ギャップ構成をＳＮ１６０Ｂに通信する。幾つかの実施形態において、ＳＮ１６０Ｂは、ＦＲ２周波数で測定するのに適切な測定ギャップでＵＥを構成する。
【０１０３】
ＵＥの測定ギャップのスケジューリングは、さまざまな方法で処理され得る。特定の実施形態において、ＳＮ１６０Ｂは、ＦＲ１の測定ギャップがアクティブである期間、ＦＲ１周波数を使用するＳＮ１６０ＢサービングセルでＵＥをスケジュールすることを控え、ＵＥは、ＦＲ１で動作するサービングセルで送受信をしないが、ＦＲ２で動作するサービングセルでは通信できる。幾つかの実施形態において、ＳＮ１６０Ｂは、ＦＲ２の測定ギャップがアクティブである期間、ＦＲ２周波数を使用するＳＮ１６０ＢサービングセルでＵＥをスケジュールすることを控え、ＵＥは、ＦＲ２で動作するサービングセルで送受信をしないが、ＦＲ１で動作するサービングセルでは通信できる。
【０１０４】
幾つかの実施形態において、ＳＮ１６０Ｂは、ＵＥのＦＲ２周波数のための測定ギャップ構成を修正し、それをＭＮ１６０Ａに通知する。幾つかの実施形態において、ＳＮ１６０ＢがＵＥのＦＲ２周波数の測定ギャップ構成を修正すると、ＵＥは、ＦＲ２の新しい測定ギャップ構成をＭＮ１６０Ａに通信する。
【０１０５】
幾つかの実施形態において、ＭＮ１６０Ａは、ＦＲ２の測定構成を変更する（すなわち、ＦＲ２周波数での測定を追加又は削除する）ときはいつでも、ＳＮ１６０Ｂと通信する。特定の実施形態において、ＳＮ１６０ＢがＭＮ１６０Ａから、ＦＲ２でのＭＮ１６０Ａの測定構成の変更についての通知を受信した場合、ＦＲ２のためのＵＥの測定ギャップ構成を、必要に応じて再構成し、ＵＥの新たな測定ニーズに適合させる（例えば、ＦＲ２の測定ギャップがＭＮ１６０ＡとＳＮ１６０Ｂの両方の構成された測定値を測定するのに十分であることを確実にする）。幾つかの実施形態において、ＳＮ１６０Ｂは、ＦＲ１の測定構成を変更する、例えば、ＦＲ１周波数での測定を追加又は削除すると、ＭＮ１６０Ａと通信する。幾つかの実施形態において、ＭＮ１６０ＡがＳＮ１６０Ｂから、ＦＲ１でのＳＮ１６０Ｂの測定構成の変更についての通知を受信した場合、ＦＲ１でのＵＥの測定ギャップ構成を、必要に応じて再構成し、ＵＥの新たな測定ニーズに適合させる（例えば、ＦＲ１の測定ギャップがＭＮ１６０ＡとＳＮ１６０Ｂの両方の構成された測定値を測定するのに十分であることを確実にする）。幾つかの実施形態において、ＳＮ１６０Ｂは、ＦＲ１周波数を使用しているＮＲサービングセルを追加又は削除するたびに、ＭＮ１６０Ａと通信する。幾つかの実施形態において、ＭＮ１６０Ａが、ＦＲ１周波数のＮＲサービングセルの除去又は追加についての通知をＳＮ１６０Ｂから受信した場合、必要に応じて、ＦＲ１のためのＵＥの測定ギャップ設定を再構成し、ＵＥのパフォーマンス及び新たな測定ニーズに適合させる（例えば、ＦＲ１の測定ギャップがＭＮ１６０ＡとＳＮ１６０Ｂの両方の構成された測定値を測定するのに十分であることを確実にし、ＦＲ１測定ギャップがアクティブな場合、これらのセルでＵＥをスケジュールできないため、ＦＲ１を使用するＮＲサービングセル上でのＵＥのパフォーマンスに悪影響を与えない）。
【０１０６】
前述の例は、任意の適切なＤＣ構成を利用し得る。例えば、ＵＥ１１０が共有ＲＦチェーンを使用する一実施形態において、ＤＣ構成は、ＥＮ−ＤＣ構成であり得る。ＭＮ１６０Ａは、ＬＴＥにおいてＭｅＮＢ１６０Ａとして動作し、ＳＮ１６０Ｂは、ＮＲにおいてＳｇＮＢ１６０Ｂとして動作し得る。
【０１０７】
例示的実施形態：ＦＲ１及びＦＲ２を構成する個別ＲＦチェーン
別の実施形態において、ＭＮ１６０Ａは、ＵＥがＦＲ１とＦＲ２の個別ＲＦチェーンを使用すると決定したことに応じて、１つがＦＲ１の測定に適し、他の１つがＦＲ２の測定に適した２つの測定ギャップでＵＥを構成し得る。幾つかの実施形態において、ＭＮ１６０Ａは、ＳＮ１６０Ｂの追加に応答して、ＳＮ１６０Ｂが、ＵＥ１１０のための測定ギャップ構成を構成する必要がないことをＳＮ１６０Ｂに通信する。
【０１０８】
ＵＥの測定ギャップ構成の変更は、幾つかの非限定的な方法で通信され得る。幾つかの実施形態において、ＭＮ１６０Ａは、ＳＮ１６０Ｂの追加に応答して、ＦＲ１のためのＵＥの測定ギャップ構成と、ＦＲ２のためのＵＥの測定ギャップ構成と、をＳＮ１６０Ｂに通信する。幾つかの実施形態において、ＭＮ１６０Ａが、ＵＥのＦＲ１周波数の測定ギャップ構成、或いは、ＵＥのＦＲ２周波数の測定ギャップ構成を変更すると、ＭＮ１６０Ａは、変更された測定ギャップ構成をＳＮ１６０Ｂに通信する。幾つかの実施形態において、ＭＮ１６０Ａが、ＵＥのＦＲ１周波数の測定ギャップ構成、或いは、ＵＥのＦＲ２周波数の測定ギャップ構成を変更すると、ＵＥは、変更された測定ギャップ構成をＳＮ１６０Ｂに通信する。
【０１０９】
ＭＮ１６０Ａ及び／又はＳＮ１６０Ｂは、特定の非限定的な状況において、特定の周波数でＵＥをスケジューリングすることを控え得る。幾つかの実施形態において、ＳＮ１６０Ｂは、ＦＲ１の測定ギャップがアクティブである期間、ＦＲ１周波数を使用するＳＮ１６０ＢサービングセルでＵＥをスケジュールすることを控え、ＵＥは、ＦＲ１で動作するサービングセルで送受信をしないが、ＦＲ２で動作するサービングセルでは通信できる。幾つかの実施形態において、ＳＮ１６０Ｂは、ＦＲ２の測定ギャップがアクティブである期間、ＦＲ２周波数を使用するＳＮ１６０ＢサービングセルでＵＥをスケジュールすることを控え、ＵＥは、ＦＲ２で動作するサービングセルで送受信をしないが、ＦＲ１で動作するサービングセルでは通信できる。
【０１１０】
幾つかの実施形態において、ＳＮ１６０Ｂは、ＦＲ１又はＦＲ２の測定構成を変更する（例えば、ＦＲ１又はＦＲ２周波数での測定を追加又は削除する）と、ＭＮ１６０Ａと通信する。幾つかの実施形態において、ＭＮ１６０ＡがＳＮ１６０Ｂから、ＦＲ１又はＦＲ２でのＳＮ１６０Ｂの測定構成の変更についての通知を受信した場合、ＦＲ１又はＦＲ２でのＵＥの測定ギャップ構成を、必要に応じて再構成し、ＵＥの新たな測定ニーズに適合させる（例えば、ＦＲ１の測定ギャップがＭＮ１６０ＡとＳＮ１６０Ｂの両方の構成された測定値を測定するのに十分であることを確実にする）。幾つかの実施形態において、ＳＮ１６０Ｂは、ＦＲ１又はＦＲ２周波数を使用しているＮＲサービングセルを追加又は削除するたびに、ＭＮ１６０Ａと通信する。幾つかの実施形態において、ＭＮ１６０Ａが、ＦＲ１又はＦＲ２周波数のＮＲサービングセルの除去又は追加についての通知をＳＮ１６０Ｂから受信した場合、必要に応じて、ＦＲ１又はＦＲ２のためのＵＥの測定ギャップ設定を再構成し、ＵＥのパフォーマンス及び新たな測定ニーズに適合させる（例えば、ＦＲ１の測定ギャップがＭＮ１６０ＡとＳＮ１６０Ｂの両方の構成された測定値を測定するのに十分であることを確実にし、ＦＲ１測定ギャップがアクティブな場合、これらのセルでＵＥをスケジュールできないため、ＦＲ１を使用するＮＲサービングセル上でのＵＥのパフォーマンスに悪影響を与えない）。
【０１１１】
例示的実施形態：矛盾する測定ギャップ構成
例示的な実施形態において、ＵＥがＭＮ１６０Ａによって測定ギャップを構成され、ＵＥが、ＳＮ１６０Ｂから、矛盾する測定ギャップ構成を受信すると、ＵＥは、ＳＮ１６０Ｂからの構成を破棄し、それをＳＮ１６０Ｂ、ＭＮ１６０Ａ又はその両方に示す。幾つかの実施形態において、ＵＥがＳＮ１６０Ｂによって測定ギャップを構成され、ＵＥが、ＭＮ１６０Ａから、矛盾する測定ギャップ構成を受信すると、ＵＥは、ＳＮ１６０Ｂからの構成を破棄し、それをＳＮ１６０Ｂ、ＭＮ１６０Ａ又はその両方に示す。幾つかの実施形態において、矛盾する測定ギャップパターンは、同じＦＲ１又はＦＲ２の測定ギャップパターンであり、ＦＲ１及びＦＲ２の両方をカバーする単一の測定ギャップパターンである。
【０１１２】
上記の測定ギャップ構成の例は、単なる例示であり、限定的であるとは見なされない。
【０１１３】
測定ギャップ構成のためのフローチャートと装置の例
図６〜９は、測定ギャップ構成のための例示的なフローチャート及び装置を示している。これらの図は単なる例示であり、限定するものではない。
【０１１４】
図６は、特定の実施形態による、測定ギャップ構成のための無線デバイスにおける例示的な方法のフローチャートである。この方法は、ステップ１４０２で始まり、無線デバイス１１０は、マスタノード（ＭＮ）及びセカンダリノード（ＳＮ）とデュアルコネクティビティ構成で動作する。特定の実施形態において、デュアルコネクティビティ構成はＥＮ−ＤＣ構成であり、マスタノードがＬＴＥノード（例えば、ＭｅＮＢ）であり、セカンダリノードがＮＲノード（例えば、ＳｇＮＢ）である。特定の実施形態において、デュアルコネクティビティ構成は、ＮＥ−ＤＣ、ＮＲ−ＤＣ、ＭＲ−ＤＣなどの異なる構成であり得る。ステップ１４０２で、無線デバイス１１０は、第１周波数範囲（ＦＲ１）及び第２周波数範囲（ＦＲ２）の無線周波数（ＲＦ）チェーンを使用して動作し得る。ステップ１４０６で、無線デバイス１１０は、ＭＮ１６０Ａから測定ギャップ構成を受信し得る。特定の実施形態において、無線デバイス１１０は、測定ギャップ構成を設定するため、マスタノードから１つ以上の測定ギャップ構成メッセージを受信し得る。特定の実施形態において、ギャップ構成は、測定構成の一部としてＲＲＣプロトコルを介して無線デバイス１１０にシグナリングされる。ステップ１４０８で、無線デバイス１１０は、測定ギャップ構成に従ってＦＲ１及びＦＲ２を測定し得る。言い換えれば、測定ギャップ構成は、アップリンク又はダウンリンク送信がスケジュールされない様に無線デバイス１１０が測定を実行するために使用し得る期間を参照し得る。
【０１１５】
図７Ａは、特定の実施形態による、測定ギャップ構成のためのマスタノード１６０Ａにおける例示的な方法のフローチャートである。本方法は、ステップ１５０２で始まり、マスタノード１６０Ａは、セカンダリノード１６０Ｂとデュアルコネクティビティ構成で動作する。図６で説明した様に、デュアルコネクティビティ構成は、ＥＮ−ＤＣ、ＮＥ−ＤＣ、ＮＲ−ＤＣ、ＭＲ−ＤＣなどの任意の適切な構成であり得る。ステップ１５０４で、マスタノード１６０Ａは、無線デバイス１１０が、第１周波数範囲（ＦＲ１）及び第２周波数範囲（ＦＲ２）の共有無線周波数（ＲＦ）チェーンを使用すると決定し得る。例えば、無線デバイス１１０は、ＵＥ能力情報交換の一部として共有ＲＦチェーンを使用することをネットワークに示し得る。マスタノード１６０Ａは、それを受信したときに、無線デバイス１１０が共有ＲＦチェーンを使用すると決定し得る。ステップ１５０６で、マスタノード１６０Ａは、測定ギャップを無線デバイス１１０に構成することができ、測定ギャップは、無線デバイスが共有ＲＦチェーンを用いてＦＲ１及びＦＲ２の両方を測定することを可能にする。例えば、特定の実施形態において、マスタノード１６０Ａは、ＲＲＣプロトコルを使用して測定ギャップ構成を設定する。
【０１１６】
図７Ｂは、特定の実施形態による、測定ギャップ構成のためのマスタノード１６０における例示的な方法のフローチャートである。本方法は、ステップ１５１０で始まり、マスタノード１６０は、セカンダリノードとデュアルコネクティビティで動作する。ステップ１５１２で、マスタノード１６０は、無線デバイスが、第１周波数範囲（ＦＲ１）及び第２周波数範囲（ＦＲ２）の個別無線周波数（ＲＦ）チェーンを使用すると決定し得る。ステップ１５１４で、マスタノード１６０は、ＦＲ１を測定するための第１測定ギャップ及びＦＲ２を測定するための第２測定ギャップを無線デバイス１１０に構成し得る。例えば、特定の実施形態において、マスタノード１６０は、第１測定ギャップ及び第２測定ギャップを示す１つ以上のメッセージを無線デバイスに通信し得る。
【０１１７】
図７Ｃは、特定の実施形態による、測定ギャップ構成のためのマスタノード１６０Ａにおける例示的な方法のフローチャートである。本方法は、ステップ１５２０で始まり、マスタノード１６０Ａは、セカンダリノード１６０Ｂとデュアルコネクティビティで動作する。ステップ１５２２で、マスタノード１６０Ａは、無線デバイス１１０が、第１周波数範囲（ＦＲ１）及び第２周波数範囲（ＦＲ２）の個別無線周波数（ＲＦ）チェーンを使用すると決定し得る。ステップ１５２４で、マスタノード１６０Ａは、ＦＲ１のみを測定するための第１測定ギャップを無線デバイス１１０に構成し得る。例えば、特定の実施形態において、マスタノード１６０は、第１測定ギャップ構成を示す１つ以上のメッセージを無線デバイスに通信し得る。特定の実施形態において、セカンダリノード１６０Ｂは、ＦＲ２の第２測定ギャップ構成を構成することに責任を負い得る。この様にして、マスタノード１６０Ａは、第１測定ギャップ構成を構成し、セカンダリノード１６０Ｂは、少なくとも第２測定ギャップ構成を構成し得る。
【０１１８】
図７Ｄは、特定の実施形態による、測定ギャップ構成のためのセカンダリノード１６０Ｂにおける例示的な方法のフローチャートである。本方法は、ステップ１５３０で始まり、セカンダリノード１６０Ｂは、マスタノード１６０Ａとデュアルコネクティビティで動作する。ステップ１５３２で、セカンダリノード１６０Ｂは、マスタノード１６０Ａからメッセージを受信し得る。メッセージは、ＵＥ１１０の構成に関連する。幾つかの実施形態において、メッセージは、ＵＥ１１０のための、第１周波数範囲（ＦＲ１）の第１測定ギャップ構成及び第２の周波数範囲（ＦＲ２）の第２測定ギャップ構成の少なくとも１つの構成に関連付けられ得る。例えば、幾つかの実施形態において、メッセージは、ＳＮ１６０ＢがＵＥ１１０のためにＦＲ１又はＦＲ２のいずれかの測定ギャップ構成を設定する必要がないことをＳＮ１６０Ｂに示す。幾つかの実施形態において、ＳＮ１６０Ｂは、ＭＮ１６０Ａからメッセージをさらに受信し得る。このメッセージは、ＦＲ１及びＦＲ２の両方の測定ギャップ構成を示し得る。
【０１１９】
別の例として、ＳＮ１６０Ｂが受信するこのメッセージは、ＵＥ１１０がＦＲ１及びＦＲ２のための個別の無線周波数（ＲＦ）チェーンを使用することを示し得る。ＳＮ１６０Ｂは、ＳＮ１６０ＢがＦＲ２の測定ギャップ構成を構成する責任があるという通知をＭＮ１６０Ａから受信し得る。特定の実施形態において、ＳＮ１６０Ｂは、ＦＲ１の測定ギャップ構成をＭＮ１６０Ａから受信し得る。ＳＮ１６０Ｂは、ＵＥ１１０のためのＦＲ２の測定ギャップ構成を新しい構成に変更し得る。次に、ＳＮ１６０Ｂは、新しい構成をＭＮ１６０Ａに通信し得る。
【０１２０】
図８は、特定の実施形態による、例示的な無線装置１６００を示している。装置は、無線デバイス（例えば、図１に示される無線デバイス１１０）として実現され得る。装置１６００は、図６を参照して説明した例示的な方法、及びおそらく本明細書で開示される他の任意のプロセス又は方法を実行する様に動作可能である。図６の方法は必ずしも装置１６００によってのみ実行されるとは限らないことも理解されるべきである。方法の少なくとも幾つかの動作は、仮想装置を含む１つ以上の他のエンティティによって実行され得る。
【０１２１】
装置１６００は、１つ以上のマイクロプロセッサ又はマイクロコントローラを含み得る処理回路と、デジタル信号プロセッサ（ＤＳＰ）、専用デジタル論理などを含み得る他のデジタルハードウェアと、を含み得る。処理回路は、メモリに格納されたプログラムコードを実行する様に構成され、メモリは、読み取り専用メモリ（ＲＯＭ）、ランダムアクセスメモリ、キャッシュメモリ、フラッシュメモリデバイス、光ストレージデバイスなどの１つ以上のタイプのメモリを含み得る。メモリに格納されたプログラムコードは、１つ以上の通信及び／又はデータ通信プロトコルを実行するプログラム命令と、幾つかの実施形態においては、本明細書に記載された技術の１つ以上を実行するためのプログラム命令を含む。幾つかの実装形態において、処理回路は、本開示の１つ以上の実施形態による対応する機能を実行させるために、受信ユニット１６０２と、決定ユニット１６０４と、記憶ユニット１６０６と、通信ユニット１６０８と、装置１６００の他の任意の適切なユニットとして使用され得る。
【０１２２】
図８に示される様に、装置１６００は、受信ユニット１６０２、決定ユニット１６０４及び通信ユニット１６０６を含む。特定の実施形態において、装置１６００は、マスタノード１６０Ａ及びセカンダリノード１６０Ｂとデュアルコネクティビティ（ＤＣ）構成で動作し得る。装置１６００は、測定ギャップ構成を実行することができ、幾つかの実施形態において、装置１６００が測定（例えば、周波数範囲の測定）を実行できる様に、装置１６００がアップリンク又はダウンリンク送信のない期間を定義することを可能にする。決定ユニット１６０４は、第１周波数範囲（ＦＲ１）及び第２周波数範囲（ＦＲ２）のための無線周波数（ＲＦ）チェーンを使用して動作し得る。受信ユニット１６０２は、マスタノード１６０Ａ及び／又はセカンダリノード１６０Ｂなどの１つ以上のノードから測定ギャップ構成を受信する様に動作可能であり得る。決定ユニット１６０４はさらに、測定ギャップ構成に従ってＦＲ１及びＦＲ２を測定する様に動作可能であり得る。
【０１２３】
図９は、特定の実施形態による、例示的なネットワークノード装置１７００を示している。装置１７００は、ネットワークノード（例えば、図３に示されるネットワークノード１６０）として実現され得る。装置１６００は、図７Ａ及び／又は図７Ｂを参照して説明した例示的な方法、及び、おそらく本明細書で開示される他の任意のプロセス又は方法を実行する様に動作可能である。図７Ａ及び／又は図７Ｂの方法は必ずしも装置１７００によってのみ実行されるとは限らないことも理解されるべきである。方法の少なくとも幾つかの動作は、仮想装置を含む１つ以上の他のエンティティによって実行され得る。
【０１２４】
装置１７００は、１つ以上のマイクロプロセッサ又はマイクロコントローラを含み得る処理回路と、デジタル信号プロセッサ（ＤＳＰ）、専用デジタル論理などを含み得る他のデジタルハードウェアと、を含み得る。処理回路は、メモリに格納されたプログラムコードを実行する様に構成され、メモリは、読み取り専用メモリ（ＲＯＭ）、ランダムアクセスメモリ、キャッシュメモリ、フラッシュメモリデバイス、光ストレージデバイスなどの１つ以上のタイプのメモリを含み得る。メモリに格納されたプログラムコードは、１以上の通信及び／又はデータ通信プロトコルを実行するプログラム命令と、幾つかの実施形態においては、本明細書に記載された技術の一つ以上を実行するためのプログラム命令を含む。幾つかの実装形態において、処理回路は、受信ユニット１７０２、決定ユニット１７０４、及び、装置１７００の他の任意の適切なユニットに、本開示の１つ以上の実施形態による対応する機能を実行させるために使用され得る。
【０１２５】
図９に示される様に、装置１７００は、通信ユニット１７０２及び決定ユニット１７０４を含む。特定の実施形態において、決定ユニット１７０４は、無線デバイス１１０が第１周波数範囲（ＦＲ１）及び第２周波数範囲（ＦＲ２）のために共有無線周波数（ＲＦ）チェーンを使用すると決定し得る。次に、決定ユニット１７０４及び／又は通信ユニット１７０２は、測定ギャップを無線デバイス１１０に構成することができ、測定ギャップは、無線デバイスが共有ＲＦチェーンを用いてＦＲ１及びＦＲ２の両方を測定することを可能にする。幾つかの実施形態において、決定ユニット１７０４は、無線デバイス１１０が第１周波数範囲（ＦＲ１）及び第２周波数範囲（ＦＲ２）に対して個別無線周波数（ＲＦ）チェーンを使用すると決定し得る。次に、決定ユニット１７０４及び／又は通信ユニット１７０２は、ＦＲ１を測定する第１測定ギャップとＦＲ２を測定する第２測定ギャップで無線デバイス１１０を構成し得る。
【０１２６】
仮想化環境
図１０は、幾つかの実施形態によって実装される機能を仮想化し得る仮想化環境３００を示す概略ブロック図である。本文脈において、仮想化とは、ハードウェアプラットフォーム、ストレージデバイス、及び、ネットワークリソースの仮想化を含み得る、装置又はデバイスの仮想バージョンを作成することを意味する。本明細書で使用される様に、仮想化は、ノード（例えば、仮想化基地局又は仮想化無線アクセスノード）又はデバイス（例えば、ＵＥ、無線デバイス又は任意の他のタイプの通信デバイス）又はそれらのコンポーネントに適用され、機能の少なくとも一部が、（たとえば、１つ以上のネットワークの１つ以上の物理処理ノードを実行する、１つ以上のアプリケーション、コンポーネント、機能、仮想マシン、又はコンテナを介して）１つ以上の仮想コンポーネントとして実現することに関連する。
【０１２７】
幾つかの実施形態において、本明細書で説明される機能の一部又は総ては、１つ以上のハードウェアノード３３０でホストされる、１つ以上の仮想環境３００で実現される１つ以上の仮想マシンにより実行される仮想コンポーネントとして実現され得る。仮想ノードが無線アクセスノードではない、或いは、無線接続を必要としない場合（コアネットワークノードなど）の実施形態において、ネットワークノードは完全に仮想化され得る。
【０１２８】
機能は、本実施形態で説明される特徴、機能、及び／又は利点の幾つかを実現する様に動作する１つ以上のアプリケーション３２０（ソフトウェアインスタンス、仮想アプライアンス、ネットワーク機能、仮想ノード、仮想ネットワーク機能などと呼ばれ得る）によって実現され得る。アプリケーション３２０は、処理回路３６０及びメモリ３９０を含むハードウェア３３０を提供する仮想化環境３００で実行される。メモリ３９０は、処理回路３６０によって実行可能な命令３９５を含み、それにより、アプリケーション３２０は、開示されている特徴、利点、及び／又は機能の１つ以上を提供する様に動作する。
【０１２９】
仮想化環境３００は、市販の（ＣＯＴＳ）プロセッサ、専用の特定用途向け集積回路（ＡＳＩＣ）であり得る１つ以上のプロセッサ又は処理回路３６０、又は、デジタル又はアナログのハードウェアコンポーネントや専用プロセッサを含むその他のタイプの処理回路のセットを有する汎用又は専用ネットワークハードウェアデバイス３３０を備える。各ハードウェアデバイスは、命令３９５又は処理回路３６０によって実行されるソフトウェアを一時的に格納するための非永続的メモリであり得るメモリ３９０−１を含み得る。各ハードウェアデバイスは、ネットワークインタフェースカードとしても知られ、物理ネットワークインタフェース３８０を含む、１つ以上のネットワークインタフェースコントローラ（ＮＩＣ）３７０を含み得る。各ハードウェアデバイスは、また、ソフトウェア３９５及び／又は処理回路３６０により実行可能な命令を格納する、非一時的、永続的、かつ、機械可読記憶媒体３９０−２を含み得る。ソフトウェア３９５は、１つ以上の仮想化層３５０（ハイパバイザとも呼ばれる）をインスタンス化するためのソフトウェア、仮想マシン３４０を実行するためのソフトウェア、ならびに本明細書の幾つかの実施形態に関連して説明される機能、特徴及び／又は利点を実行することを可能にするソフトウェアを含む、任意のタイプのソフトウェアを含み得る。
【０１３０】
仮想マシン３４０は、仮想処理、仮想メモリ、仮想ネットワーキング又はインタフェース及び仮想ストレージを含み、対応する仮想化層３５０又はハイパバイザによって実行され得る。仮想アプライアンス３２０のインスタンスの異なる実施形態は、１つ以上の仮想マシン３４０上で実行されてもよく、実装は、異なる方法でも行われ得る。
【０１３１】
動作中、処理回路３６０は、ソフトウェア３９５を実行して、ハイパバイザ又は仮想化層３５０をインスタンス化し、これは、仮想マシンモニタ（ＶＭＭ）として参照され得る。仮想化層３５０は、仮想マシン３４０に対してネットワークハードウェアの様に見える仮想オペレーティングプラットフォームを提示し得る。
【０１３２】
図１０に示す様に、ハードウェア３３０は、一般的な又は特定のコンポーネントを備えたスタンドアロンネットワークノードであり得る。ハードウェア３３０は、アンテナ３２２５を備えることができ、仮想化を介して幾つかの機能を実装し得る。あるいは、ハードウェア３３０は、多くのハードウェアノードが連携して動作し、アプリケーション３２０のライフサイクル管理を監督する、管理及びオーケストレーション（ＭＡＮＯ）３１００を介して管理されるハードウェアの大きなクラスタ（たとえば、データセンタや顧客宅内機器（ＣＰＥ）など）の一部であり得る。
【０１３３】
ハードウェアの仮想化は、一部の文脈ではネットワーク機能仮想化（ＮＦＶ）と参照される。ＮＦＶを使用して、多くのネットワーク機器タイプを、業界標準の大容量サーバハードウェア、物理スイッチ、及びデータセンタに配置できる物理ストレージ、及び顧客宅内機器に統合できる。
【０１３４】
ＮＦＶの文脈において、仮想マシン３４０は、あたかもそれらが物理的な非仮想化マシンで実行されているかの様にプログラムを実行する物理マシンのソフトウェア実装であり得る。仮想マシン３４０のそれぞれ、及びその仮想マシンを実行するハードウェア３３０のその部分は、その仮想マシン専用のハードウェア及び／又はその仮想マシンによって他の仮想マシン３４０と共有されるハードウェアであり、別個の仮想ネットワーク要素（ＶＮＥ）を形成する。
【０１３５】
ＮＦＶの文脈において、仮想ネットワーク機能（ＶＮＦ）は、ハードウェアネットワーキングインフラストラクチャ３３０上の１つ以上の仮想マシン３４０で実行され、図１８のアプリケーション３２０に対応する特定のネットワーク機能を処理することに責任を負う。
【０１３６】
幾つかの実施形態において、それぞれが１つ以上の送信機３２２０及び１つ以上の受信機３２１０を含む１つ以上の無線ユニット３２００は、１つ以上のアンテナ３２２５に結合され得る。無線ユニット３２００は、１つ以上の適切なネットワークインタフェースを介してハードウェアノード３３０と直接通信し、無線アクセスノードや基地局などの仮想ノードに無線能力を提供するために、仮想コンポーネントと組み合わせて使用され得る。
【０１３７】
幾つかの実施形態において、幾つかのシグナリングは、ハードウェアノード３３０と無線ユニット３２００との間の通信に代わりに使用され得る制御システム３２３０を使用してもたらされ得る。
【０１３８】
通信ネットワークの実施例
一実施形態に従う図１１を参照すると、通信システムは、３ＧＰＰタイプのセルラネットワークなどの通信ネットワーク４１０を含み、通信ネットワーク４１０は、無線アクセスネットワークなどのアクセスネットワーク４１１とコアネットワーク４１４とを含む。アクセスネットワーク４１１は、ＮＢ、ｅＮＢ、ｇＮＢ又は他のタイプの無線アクセスポイントなどの複数の基地局４１２ａ、４１２ｂ、４１２ｃを備え、それぞれが対応するカバレッジエリア４１３ａ、４１３ｂ、４１３ｃを定義する。各基地局４１２ａ、４１２ｂ、４１２ｃは、有線又は無線接続４１５を介してコアネットワーク４１４に接続可能である。カバレッジエリア４１３ｃに位置する第１ＵＥ４９１は、対応する基地局４１２ｃに無線で接続する、或いは、ページングされる様に構成される。カバレッジエリア４１３ａの第２ＵＥ４９２は、対応する基地局４１２ａに無線で接続可能である。複数のＵＥ４９１、４９２がこの例に示されているが、開示された実施形態は、単一ＵＥがカバレッジエリアにある状況、又は、単一ＵＥが対応する基地局４１２に接続している状況に等しく適用可能である。
【０１３９】
通信ネットワーク４１０自体は、スタンドアロンサーバ、クラウド実装サーバ、分散サーバのハードウェア及び／又はソフトウェアにより、又は、サーバファームの処理リソースとして具現化され得るホストコンピュータ４３０に接続される。ホストコンピュータ４３０は、サービスプロバイダの所有権又は管理下にあり得るか、サービスプロバイダによって又はサービスプロバイダに代わって操作され得る。通信ネットワーク４１０とホストコンピュータ４３０との間の接続３２２１、４２２は、コアネットワーク４１４からホストコンピュータ４３０まで直接延長してもよく、又はオプションの中間ネットワーク４２０を介してもよい。中間ネットワーク４２０は、パブリック、プライベート、又はホストされたネットワークの１つ、又は２つ以上の組み合わせであっても良く、中間ネットワーク４２０（ある場合）は、バックボーンネットワーク又はインターネットである場合があり、特に、中間ネットワーク４２０は、２つ以上のサブネットワーク（図示せず）を備えてもよい。
【０１４０】
図１１の通信システムは全体として、接続されたＵＥ４９１、４９２とホストコンピュータ４３０との間の接続を可能にする。接続性は、オーバーザトップ（ＯＴＴ）接続４５０として説明され得る。ホストコンピュータ４３０及び接続されたＵＥ４９１１、４９２は、アクセスネットワーク４１１、コアネットワーク４１４、任意の中間ネットワーク４２０及び、仲介者としての可能なさらなるインフラストラクチャ（図示せず）を使用して、ＯＴＴ接続４５０を介してデータ及び／又はシグナリングを通信する様に構成される。ＯＴＴ接続４５０は、ＯＴＴ接続４５０が通過する参加通信デバイスがアップリンク及びダウンリンク通信のルーティングを認識しないという意味で透過的であり得る。例えば、基地局４１２は、接続されたＵＥ４９１に転送される（例えば、引き渡される）ホストコンピュータ４３０から発信されるデータとの着信ダウンリンク通信の過去のルーティングについて通知されないか、又は通知される必要はない。同様に、基地局４１２は、ＵＥ４９１からホストコンピュータ４３０に向かう発信アップリンク通信の将来のルーティングを認識する必要はない。
【０１４１】
ホストコンピュータの例示的実施形態
図１２は、特定の実施形態による、部分的な無線接続により基地局を介してユーザ機器と通信する例示的なホストコンピュータを示している。一実施形態による、前述の段落で説明したＵＥ、基地局、及びホストコンピュータの例示的な実装形態を、図１２を参照して説明する。通信システム５００において、ホストコンピュータ５１０は、通信システム５００の異なる通信デバイスのインタフェースとの有線又は無線接続をセットアップ及び維持する様に構成された通信インタフェース５１６を含むハードウェア５１５を備える。ホストコンピュータ５１０は、記憶及び／又は処理能力を有し得る処理回路５１８をさらに備える。特に、処理回路５１８は、命令を実行する様に適合された１つ以上のプログラマブルプロセッサ、特定用途向け集積回路、フィールドプログラマブルゲートアレイ、又はこれらの組み合わせ（図示せず）を備え得る。ホストコンピュータ５１０は、処理回路５１８によって実行可能であるソフトウェア５１１をさらに備え、ソフトウェア５１１は、ホストコンピュータ５１０に格納されるか、ホストコンピュータ５１０によってアクセス可能である。ソフトウェア５１１は、ホストアプリケーション５１２を含む。ホストアプリケーション５１２は、ＵＥ５３０とホストコンピュータ５１０で終端されるＯＴＴ接続５５０を介して接続する、ＵＥ５３０の様なリモート・ユーザにサービスを提供する様に動作可能であり得る。リモート・ユーザにサービスを提供する際、ホストアプリケーション５１２は、ＯＴＴ接続５５０を使用して送信されるユーザデータを提供し得る。
【０１４２】
通信システム５００は、通信システムに設けられ、ホストコンピュータ５１０及びＵＥ５３０と通信することを可能にするハードウェア５２５を備える基地局５２０をさらに含む。ハードウェア５２５は、通信システム５００の異なる通信デバイスのインタフェースとの有線又は無線接続を設定及び維持するための通信インタフェース５２６と、少なくとも、基地局５２０がサービスを提供するカバレッジエリア（図１２には示されていない）にあるＵＥ５３０との無線接続５７０を設定及び維持するための無線インタフェース５２７と、を含み得る。通信インタフェース５２６は、ホストコンピュータ５１０への接続５６０を促進する様に構成され得る。接続５６０は直接であってもよいし、通信システムのコアネットワーク（図１２には図示せず）及び／又は通信システムの外部の１つ以上の中間ネットワークを通過してもよい。実施形態において、基地局５２０のハードウェア５２５は、処理回路５２８をさらに備え、処理回路５２８は、命令を実行する様に適合された１つ以上のプログラマブルプロセッサ、特定用途向け集積回路、フィールドプログラマブルゲートアレイ、又はこれらの組み合わせ（図示せず）を備え得る。基地局５２０は、内部に格納されたソフトウェア５２１又は外部接続を介してアクセス可能なソフトウェア５２１をさらに有する。
【０１４３】
通信システム５００は、既に言及したＵＥ５３０をさらに含む。そのハードウェア５３５は、ＵＥ５３０が現在位置するカバレッジエリアにサービスを提供する基地局との無線接続５７０を設定及び維持する様に構成された無線インタフェース５３７を含み得る。ＵＥ５３０のハードウェア５３５は、処理回路５３８をさらに備え、処理回路３３２８は、命令を実行する様に適合された１つ以上のプログラマブルプロセッサ、特定用途向け集積回路、フィールドプログラマブルゲートアレイ、又はこれらの組み合わせ（図示せず）を備え得る。ＵＥ５３０は、処理回路５３８によって実行可能であるソフトウェア５３１をさらに備え、ソフトウェア５３１は、ＵＥ５３０に格納されるか、ＵＥ５３０によってアクセス可能である。ソフトウェア５３１は、クライアントアプリケーション５３２を含む。クライアントアプリケーション５３２は、ホストコンピュータ５１０のサポートにより、ＵＥ５３０を介して人間又は非人間のユーザにサービスを提供する様に動作可能であり得る。ホストコンピュータ５１０において、実行中のホストアプリケーション５１２は、ＵＥ５３０及びホストコンピュータ５１０で終端するＯＴＴ接続５５０を介して実行中のクライアントアプリケーション５３２と通信することができる。ユーザにサービスを提供する際、クライアントアプリケーション５３２は、ホストアプリケーション５１２からリクエストデータを受信し、リクエストデータに応答してユーザデータを提供し得る。ＯＴＴ接続５５０は、リクエストデータとユーザデータの両方を転送し得る。クライアントアプリケーション５３２は、ユーザと対話して、提供するユーザデータを生成することができる。
【０１４４】
図１２に示されるホストコンピュータ５１０、基地局５２０及びＵＥ５３０は、それぞれ、図１１のホストコンピュータ４３０、基地局４１２ａ、４１２ｂ、４１２ｃのうちの１つ、及び、ＵＥ４９１、４９２のうちの１つと同様又は同一であり得ることに留意されたい。つまり、これらのエンティティの内部動作は図５の様になり、独立して、周囲のネットワークトポロジは図１１の様になり得る。
【０１４５】
図１２において、ＯＴＴ接続５５０は、基地局５２０を介したホストコンピュータ５１０とＵＥ５３０間の通信を示すために抽象的に描かれ、中間デバイスやこれらのデバイスを介したメッセージの正確なルーティングは明示されていない。ネットワークインフラストラクチャは、ルーティングを決定してもよく、ルーティングは、ＵＥ５３０又はホストコンピュータ５１０を操作するサービスプロバイダ、又はその両方から隠す様に構成されてもよい。ＯＴＴ接続５５０がアクティブである間、ネットワークインフラストラクチャは、ルーティングを動的に変更する決定をさらに行うことができる（たとえば、ネットワークの負荷分散の検討又は再構成に基づいて）。
【０１４６】
ＵＥ５３０と基地局５２０との間の無線接続５７０は、本開示を通して説明される実施形態の教示に従う。１つ以上の様々な実施形態は、無線接続５７０が最後のセグメントを形成するＯＴＴ接続５５０を使用して、ＵＥ５３０に提供されるＯＴＴサービスの性能を改善する。より正確には、これらの実施形態の教示は、シグナリングのオーバーヘッドを改善し、待ち時間を低減することができ、それにより、ユーザにより速いインターネットアクセスを提供し得る。
【０１４７】
測定手順は、データレート、待ち時間、及び１つ以上の実施形態が改善される他の要因を監視する目的で提供されてもよい。さらに、測定結果の変動に応じて、ホストコンピュータ５１０とＵＥ５３０との間のＯＴＴ接続５５０を再構成するためのオプションのネットワーク機能があり得る。ＯＴＴ接続５５０を再構成するための測定手順及び／又はネットワーク機能は、ホストコンピュータ５１０のソフトウェア５１１及びハードウェア５１５、ＵＥ５３０のソフトウェア５３１及びハードウェア５３５、或いは、その両方で実装され得る。実施形態において、センサ（図示せず）は、ＯＴＴ接続５５０が通過する通信デバイス内に、又はそれに関連して配置され、センサは、上記で例示した監視量の値を提供するか、ソフトウェア５１１、３３１１が監視量を計算又は推定できる他の物理量の値を提供することにより、測定手順に参加できる。ＯＴＴ接続５５０の再構成には、メッセージ形式、再送信設定、優先ルーティングなどが含まれ、再構成は基地局５２０に影響を与えず、基地局５２０にとって未知又は感知できない可能性がある。そのような手順及び機能は、当技術分野で知られ実践されている場合がある。特定の実施形態において、測定は、スループット、伝播時間、待ち時間などのホストコンピュータ５１０の測定を容易にする独自のＵＥシグナリングを含み得る。測定は、ソフトウェア５１１、５３１が、ＯＴＴ接続５５０を使用して、伝播時間、エラーなどを監視しながら、メッセージ、特に空又は"ダミー"メッセージを送信する様に実装できる。
【０１４８】
図１３は、一実施形態による、通信システムで実施される方法を示すフローチャートである。通信システムは、ホストコンピュータ、基地局、及びＵＥを含み、それらは図１１及び図１２を参照して説明されたものであり得る。本開示を単純化するために、図１３への参照図面のみがこのセクションに含まれる。ステップ６１０では、ホストコンピュータはユーザデータを提供する。ステップ６１０のサブステップ６１１（オプションであり得る）において、ホストコンピュータはホストアプリケーションを実行することによりユーザデータを提供する。ステップ６２０において、ホストコンピュータは、ユーザデータをＵＥに搬送する送信を開始する。ステップ６３０において、基地局は、本開示を通して説明される実施形態の教示に従って、ホストコンピュータが開始した送信で搬送されたユーザデータをＵＥに送信する。ステップ６４０（オプションであり得る）において、ＵＥは、ホストコンピュータによって実行されるホストアプリケーションに関連するクライアントアプリケーションを実行する。
【０１４９】
図１４は、一実施形態による、通信システムで実施される方法を示すフローチャートである。通信システムは、ホストコンピュータ、基地局、及びＵＥを含み、それらは図１１及び図１２を参照して説明されたものであり得る。本開示を単純化するために、図１４への参照図面のみがこのセクションに含まれる。この方法のステップ７１０において、ホストコンピュータはユーザデータを提供する。オプションのサブステップ（図示せず）では、ホストコンピュータはホストアプリケーションを実行することによりユーザデータを提供する。ステップ７２０において、ホストコンピュータは、ユーザデータをＵＥに搬送する送信を開始する。本開示を通して説明される実施形態の教示に従い、送信は、基地局を通過し得る。ステップ７３０（オプションであり得る）において、ＵＥは、送信で搬送されたユーザデータを受信する。
【０１５０】
図１５は、一実施形態による、通信システムで実施される方法を示すフローチャートである。通信システムは、ホストコンピュータ、基地局、及びＵＥを含み、それらは図１１及び１２を参照して説明されたものであり得る。本開示を単純化するために、図１５への参照図面のみがこのセクションに含まれる。ステップ８１０（オプションであり得る）において、ＵＥは、ホストコンピュータにより提供されたデータを入力する。追加又は代替として、ステップ８２０で、ＵＥはユーザデータを提供する。ステップ８２０のサブステップ８２１（オプションであり得る）において、ＵＥはクライアントアプリケーションを実行することによりユーザデータを提供する。ステップ８１０のサブステップ８１１（オプションであり得る）において、ＵＥは、ホストコンピュータによって提供された受信入力データに応答してユーザデータを提供するクライアントアプリケーションを実行する。ユーザデータを提供する際に、実行されたクライアントアプリケーションは、ユーザから受け取ったユーザ入力をさらに考慮し得る。ユーザデータが提供された特定の方法に関係なく、ＵＥは、サブステップ８３０（オプションであり得る）において、ホストコンピュータへのユーザデータの送信を開始する。方法のステップ８４０において、ホストコンピュータは、本開示を通して説明される実施形態の教示に従って、ＵＥから送信されたユーザデータを受信する。
【０１５１】
図１６は、一実施形態による、通信システムで実施される方法を示すフローチャートである。通信システムは、ホストコンピュータ、基地局、及びＵＥを含み、それらは図１１及び図１２を参照して説明されたものであり得る。本開示を単純化するために、図１６への参照図面のみがこのセクションに含まれる。ステップ９１０（オプションであり得る）において、本開示全体にわたって説明される実施形態の教示に従って、基地局はＵＥからユーザデータを受信する。ステップ９２０（オプションであり得る）において、基地局は、受信したユーザデータのホストコンピュータへの送信を開始する。ステップ９３０（オプションであり得る）において、ホストコンピュータは、基地局により開始された送信で搬送されたユーザデータを受信する。
【０１５２】
ユニットという用語は、電気、電気デバイス、及び／又は、電子デバイスの分野で従来の意味を有し、例えば、電気及び／又は電子回路、デバイス、モジュール、プロセッサ、メモリ、論理ソリッドステート及び／又はディスクリートデバイス、それぞれのタスク、手順、計算、出力、及び／又は表示機能などを実行するためのコンピュータプログラム又は命令を含み得る。
【０１５３】
一般的に、ここで使用されているすべての用語は、異なる意味が明確に与えられていないか、使用されている文脈から示唆されていない限り、関連する技術分野での通常の意味に従って解釈される。要素、装置、部品、手段、ステップ等への言及は、明示的に述べられない限り、オープン的に、要素、装置、部品、手段、ステップ等の少なくとも１つを参照しているものと解釈される。本明細書に開示されている方法のステップは、ステップが別のステップの後に続く、又は前にあると明確に説明されていない限り、及び／又はステップが別のステップの前又は後になければならないことが暗黙的に示されている場合を除き、開示された正確な順序で実行する必要はない。本明細書に開示される実施形態の任意の特徴は、必要に応じて、他の実施形態に適用され得る。同様に、実施形態の任意の利点は、他の実施形態に適用することができ、逆もまた同様である。本実施形態の他の目的、特徴、及び利点は、以下の説明から明らかになるであろう。
【０１５４】
本発明の範囲を逸脱することなく、ここで述べたシステム及び装置に対する修正、追加、省略が行われ得る。システム及び装置のコンポーネントは、統合又は分離され得る。さらに、システム及び装置の動作は、より多くの、より少ない、或いは、他のコンポーネントで実行され得る。さらに、システム及び装置の動作は、ソフトウェア、ハードウェア、及び／又は、他のロジックを含む任意の適切な論理回路を使用して実現され得る。本開示で使用する"各"は、セットの各要素、又は、セットのサブセットの各要素を参照している。
【０１５５】
本発明の範囲を逸脱することなく、ここで述べた方法に対する修正、追加、省略が行われ得る。方法は、より多くの、より少ない、或いは、他のステップを含み得る。さらに、ステップは、任意の適切な順序で実行され得る。以下の説明では、多くの具体的な詳細を説明する。しかし、これらの特定の詳細なしで実施形態を実施できることが理解される。他の例において、この説明の理解を不明瞭にしないために、周知の回路、構造、及び技術は詳細に示さない。含まれる説明を用いて、当業者は、過度の実験なしに適切な機能を実装することができるであろう。
【０１５６】
本明細書における"一実施形態"、"実施形態"、"実施形態例"などへの言及は、説明された実施形態が特定の特徴、構造、又は特性を含み得ることを示すが、すべての実施形態が必ずしも特定の特徴、構造、又は特性を含むとは限らない。さらに、そのようなフレーズは必ずしも同じ実施形態を参照しているわけではない。さらに、特定の特徴、構造、又は特性が実施形態に関して説明されている場合、他の実施形態に関連してそのような特性、構造、又は特性を実装することは、明示的に記述されているか否かに拘わらず、当業者の知識の範囲内では提示されている。
【０１５７】
本開示について、ある実施形態により記述したが、当業者には、実施形態の変更及び組み合わせが明らかである。よって、実施形態の上述した説明は、本開示を拘束しない。以下の特許請求の範囲で定義される本開示の精神及び範囲から逸脱することなく、他の変更、置換、変形が可能である。
【０１５８】
上記説明で使用した略語は以下のものを含む。
略語：説明
３ＧＰＰ：第３世代パートナーシッププロジェクト
ＢＬＥＲ：ブロック誤り率
ＢＳ：基地局
ＢＴＳ：ベーストランシーバ局
Ｄ２Ｄ：デバイス・トゥ・デバイス
ＤＣＩ：下りリンク制御情報
ＤＭＲＳ：復調基準信号
ＤＬ：ダウンリンク
ｅＮＢ：ｅノードＢ
ＥＶＭ：エラーベクトルの大きさ
ＦＦＴ：ファストフーリエ変換
ＧＨｚ：ギガＨｚ
ｋＨｚ：キロＨｚ
ＬＴＥ：ロングタームエボリューション
Ｍ２Ｍ：マシン・トゥ・マシン
ＭＢＢ：モバイルブロードバンド
ＭＩＭＯ：多入力多出力
ＭＴＣ：マシン型通信
ＮＲ：ニューレディオ
ＯＦＤＭ：直交周波数分割多重
ＰＲＢ：物理リソースブロック
ＲＡＮ：無線アクセスネットワーク
ＲＡＴ：無線アクセス技術
ＲＢ：リソースブロック
ＲＮＣ：無線ネットワークコントローラ
ＲＰＦ：反復係数
ＲＲＣ：無線リソース制御
ＲＲＨ：リモート無線ヘッド
ＲＲＵ：リモート無線ユニット
ＲＸ：受信
ＳＩＮＲ：信号対干渉及び雑音比
ｓＰＵＳＣＨ：ショート物理アップリンク共用チャネル
ｓＴＴＩ：ショート送信時間間隔
ＴＤＤ：時分割複信
Ｔｘ：送信
ＵＥ：ユーザ装置
ＵＬ：上りリンク
ＵＲＬＬＣ：超高信頼低遅延通信
Ｕｓｅｃ：マイクロ秒
ＵＴＲＡＮ：汎用地上無線アクセスネットワーク
Ｖ２Ｖ：車車間
Ｖ２Ｘ：車両とインフラストラクチャ間
ＷＡＮ：無線アクセスネットワーク
【図１】
2021503730.tif 000003
【図２】
2021503730.tif 000004
【図３】
2021503730.tif 000005
【図４】
2021503730.tif 000006
【図５】
2021503730.tif 000007
【図６】
2021503730.tif 000008
【図７Ａ】
2021503730.tif 000009
【図７Ｂ】
2021503730.tif 000010
【図７Ｃ】
2021503730.tif 000011
【図７Ｄ】
2021503730.tif 000012
【図８】
2021503730.tif 000013
【図９】
2021503730.tif 000014
【図１０】
2021503730.tif 000015
【図１１】
2021503730.tif 000016
【図１２】
2021503730.tif 000017
【図１３】
2021503730.tif 000018
【図１４】
2021503730.tif 000019
【図１５】
2021503730.tif 000020
【図１６】
2021503730.tif 000021
【手続補正書】
【提出日】令和1年9月16日(2019.9.16)
【手続補正１】
【補正対象書類名】特許請求の範囲
【補正対象項目名】全文
【補正方法】変更
【補正の内容】
【特許請求の範囲】
【請求項１】
測定ギャップ構成のためにマスタノード（ＭＮ）（１６０Ａ）により実行される方法であって、
セカンダリノード（ＳＮ）（１６０Ｂ）及び無線デバイス（１１０）とデュアルコネクティビティ（ＤＣ）構成で動作することと、
前記無線デバイス（１１０）から受信した能力情報に基づき、前記無線デバイス（１１０）が第１周波数範囲（ＦＲ１）及び第２周波数範囲（ＦＲ２）に個別無線周波数（ＲＦ）チェーンを使用すると決定することと、
ＦＲ１の第１測定ギャップ構成及びＦＲ２の第２測定ギャップ構成で前記無線デバイス（１１０）を構成することであって、前記第１測定ギャップ構成は、前記無線デバイスがＦＲ１を測定することを可能にし、前記第２測定ギャップ構成は、前記無線デバイスがＦＲ２を測定することを可能にする、前記構成することと、
前記ＳＮ（１６０Ｂ）から、前記ＭＮがＦＲ１の前記第１測定ギャップ構成及びＦＲ２の前記第２測定ギャップ構成の少なくとも１つを修正することを要求するメッセージを受信することと、
を含む方法。
【請求項２】
請求項１に記載の方法であって、
前記ＳＮ（１６０Ｂ）が前記無線デバイス（１１０）に測定ギャップ構成を構成する必要がないことを前記ＳＮ（１６０Ｂ）に通信することをさらに含む、方法。
【請求項３】
請求項１又は２に記載の方法であって、
ＦＲ１の前記第１測定ギャップ構成及びＦＲ２の前記第２測定ギャップ構成を前記ＳＮ（１６０Ｂ）に通信することをさらに含む、方法。
【請求項４】
請求項１から３のいずれか１項に記載の方法であって、
ＦＲ１の前記第１測定ギャップ構成、及び／又は、ＦＲ２の前記第２測定ギャップ構成を新しい構成に変更することと、
前記新しい構成を前記ＳＮ（１６０Ｂ）に通信することと、をさらに含む方法。
【請求項５】
請求項１から４のいずれか１項に記載の方法であって、
前記ＳＮ（１６０Ｂ）から通知を受信することをさらに含み、
前記通知は、前記ＳＮ（１６０Ｂ）がＦＲ１及び／又はＦＲ２の１つ以上の周波数を使用するサービングセルを追加又は削除したことを前記ＭＮ（１６０Ａ）に通知する、方法。
【請求項６】
請求項５に記載の方法であって、
前記サービングセルは、ＮＲサービングセルである、方法。
【請求項７】
請求項１から６のいずれか１項に記載の方法であって、
前記ＤＣ構成はＮＥ−ＤＣ構成であり、前記ＭＮ（１６０Ａ）はＮＲで動作し、前記ＳＮ（１６０Ｂ）はＬＴＥで動作する、方法。
【請求項８】
測定ギャップ構成のためのマスタノード（ＭＮ）（１６０Ａ）であって、
セカンダリノード（ＳＮ）（１６０Ｂ）及び無線デバイス（１１０）とデュアルコネクティビティ（ＤＣ）構成で動作し、前記無線デバイス（１１０）から受信した能力情報に基づき、前記無線デバイス（１１０）が第１周波数範囲（ＦＲ１）及び第２周波数範囲（ＦＲ２）に個別無線周波数（ＲＦ）チェーンを使用すると決定し、前記無線デバイス（１１０）が、ＦＲ１を測定することを可能にする、ＦＲ１の第１測定ギャップ構成、及び、前記無線デバイス（１１０）が、ＦＲ２を測定することを可能にする、ＦＲ２の第２測定ギャップ構成を構成する様に構成されている処理回路（１７０）と、
前記処理回路（１７０）と動作可能に接続され、前記第１測定ギャップ構成及び前記第２測定ギャップ構成を前記無線デバイス（１１０）に送信し、前記ＳＮ（１６０Ｂ）から、前記ＭＮがＦＲ１の前記第１測定ギャップ構成及びＦＲ２の前記第２測定ギャップ構成の少なくとも１つを修正することを要求するメッセージを受信する様に構成されているインタフェース回路（１９０）と、を備えるＭＮ。
【請求項９】
請求項８に記載のＭＮ（１６０Ａ）であって、
前記インタフェース回路（１９０）は、前記ＳＮ（１６０Ｂ）が前記無線デバイス（１１０）のために測定ギャップ構成を設定する必要がないことを前記ＳＮ（１６０Ｂ）に通信する様にさらに構成されている、ＭＮ。
【請求項１０】
請求項８又は９に記載のＭＮ（１６０Ａ）であって、
前記インタフェース回路（１９０）は、ＦＲ１の前記第１測定ギャップ構成及びＦＲ２の前記第２測定ギャップ構成を前記ＳＮ（１６０Ｂ）に通信する様にさらに構成されている、ＭＮ。
【請求項１１】
請求項８から１０のいずれか１項に記載のＭＮ（１６０Ａ）であって、
前記処理回路（１７０）は、前記第１測定ギャップ構成及び／又は前記第２測定ギャップ構成を新しい構成に変更する様にさらに構成され、
前記インタフェース回路（１９０）は、前記新しい構成を前記ＳＮ（１６０Ｂ）に通信する様にさらに構成されている、ＭＮ。
【請求項１２】
請求項８から１１のいずれか１項に記載のＭＮ（１６０Ａ）であって、
前記インタフェース回路（１９０）は、前記ＳＮ（１６０Ｂ）から通知を受信する様にさらに構成され、
前記通知は、前記ＳＮ（１６０Ｂ）がＦＲ１及び／又はＦＲ２の１つ以上の周波数を使用するサービングセルを追加又は削除したことを前記ＭＮ（１６０Ａ）に通知する、ＭＮ。
【請求項１３】
請求項８から１２のいずれか１項に記載のＭＮ（１６０Ａ）であって、
前記ＤＣ構成はＮＥ−ＤＣ構成であり、前記ＭＮ（１６０Ａ）はＮＲで動作し、前記ＳＮ（１６０Ｂ）はＬＴＥで動作する、ＭＮ。
【請求項１４】
測定ギャップ構成のためにセカンダリノード（ＳＮ）（１６０Ｂ）により実行される方法であって、
マスタノード（ＭＮ）（１６０Ａ）及び無線デバイス（１１０）とデュアルコネクティビティ（ＤＣ）構成で動作することと、
前記ＭＮ（１６０Ａ）から、前記無線デバイス（１１０）のための、第１周波数範囲（ＦＲ１）の第１測定ギャップ構成及び第２周波数範囲（ＦＲ２）の第２測定ギャップ構成の少なくとも１つの構成に関連するメッセージを受信することと、
ＦＲ１の前記第１測定ギャップ構成及びＦＲ２の前記第２測定ギャップ構成の少なくとも１つの新しい構成を決定することと、
ＦＲ１の前記第１測定ギャップ構成及びＦＲ２の前記第２測定ギャップ構成の前記少なくとも１つを修正する要求を前記ＭＮ（１６０Ａ）に通信することと、
を含む方法。
【請求項１５】
請求項１４に記載の方法であって、
前記メッセージは、前記ＳＮ（１６０Ｂ）が前記無線デバイス（１１０）のためにＦＲ１とＦＲ２の前記測定ギャップ構成を設定する必要がないことを示す、方法。
【請求項１６】
請求項１４又は１５に記載の方法であって、
前記ＭＮ（１６０Ａ）からメッセージを受信することをさらに含み、前記メッセージは、ＦＲ１の前記第１測定ギャップ構成及びＦＲ２の前記第２測定ギャップ構成を示す、方法。
【請求項１７】
請求項１４に記載の方法であって、
前記メッセージは、前記無線デバイス（１１０）がＦＲ１及びＦＲ２に個別無線周波数（ＲＦ）チェーンを使用することを示し、
前記方法は、
前記ＭＮ（１６０Ａ）から、前記ＳＮ（１６０Ｂ）がＦＲ２の前記第２測定ギャップ構成を構成する責任があるとの通知を受信することと、
前記通知の応答として、前記無線デバイス（１１０）に、ＦＲ２周波数の前記第２測定ギャップ構成を送信することと、をさらに含む方法。
【請求項１８】
請求項１７に記載の方法であって、
ＦＲ１の前記第１測定ギャップ構成を前記ＭＮ（１６０Ａ）から受信することをさらに含む、方法。
【請求項１９】
請求項１４から１８のいずれか１項に記載の方法であって、
前記無線デバイス（１１０）のためのＦＲ２の前記第２測定ギャップ構成を新しい構成に変更することと、
前記新しい構成を前記ＭＮ（１６０Ａ）に通信することと、をさらに含む方法。
【請求項２０】
請求項１４から１９のいずれか１項に記載の方法であって、
前記無線デバイス（１１０）の新しい構成を示すメッセージを前記ＭＮ（１６０Ａ）から受信することをさらに含み、
前記新しい構成は、ＦＲ１の変更された測定ギャップ構成及びＦＲ２の変更された測定ギャップ構成の少なくとも１つを含む、方法。
【請求項２１】
請求項１４から２０のいずれか１項に記載の方法であって、
前記ＤＣ構成はＥＮ−ＤＣ構成であり、前記ＭＮ（１６０Ａ）はＬＴＥで動作し、前記ＳＮ（１６０Ｂ）はＮＲで動作する、方法。
【請求項２２】
測定ギャップ構成のためのセカンダリノード（ＳＮ）（１６０Ｂ）であって、
マスタノード（ＭＮ）（１６０Ａ）及び無線デバイス（１１０）とデュアルコネクティビティ（ＤＣ）構成で動作する様に構成されている処理回路（１７０）と、
前記処理回路と動作可能に接続され、前記ＭＮ（１６０Ａ）から、前記無線デバイス（１１０）のための、第１周波数範囲（ＦＲ１）の第１測定ギャップ構成及び第２周波数範囲（ＦＲ２）の第２測定ギャップ構成の少なくとも１つの構成に関連するメッセージを受信する様に構成されているインタフェース回路（１９０）と、を備え、
前記処理回路（１７０）は、ＦＲ１の前記第１測定ギャップ構成及びＦＲ２の前記第２測定ギャップ構成の少なくとも１つの新しい構成を決定する様にさらに構成され、
前記インタフェース回路（１９０）は、ＦＲ１の前記第１測定ギャップ構成及びＦＲ２の前記第２測定ギャップ構成の前記少なくとも１つを修正する要求を前記ＭＮ（１６０Ａ）に通信する様にさらに構成されている、ＳＮ。
【請求項２３】
請求項２２に記載のＳＮ（１６０Ｂ）であって、
前記メッセージは、前記ＳＮ（１６０Ｂ）が前記無線デバイス（１１０）のためにＦＲ１又はＦＲ２の前記測定ギャップ構成を設定する必要がないことを示す、ＳＮ。
【請求項２４】
請求項２２又は２３に記載のＳＮ（１６０Ｂ）であって、
前記インタフェース回路（１９０）は、ＭＮ（１６０Ａ）からメッセージを受信する様にさらに構成され、前記メッセージは、ＦＲ１及びＦＲ２の前記第１測定ギャップ構成を示す、ＳＮ。
【請求項２５】
請求項２２に記載のＳＮ（１６０Ｂ）であって、
前記メッセージは、前記無線デバイス（１１０）がＦＲ１及びＦＲ２に個別無線周波数（ＲＦ）チェーンを使用することを示し、
前記インタフェース回路（１９０）は、前記ＳＮ（１６０Ｂ）がＦＲ２の前記第２測定ギャップ構成を構成する責任があるとの通知を前記ＭＮ（１６０Ａ）から受信する様にさらに構成されている、ＳＮ。
【請求項２６】
請求項２５に記載のＳＮ（１６０Ｂ）であって、
前記インタフェース回路（１９０）は、ＦＲ１の前記第１測定ギャップ構成を前記ＭＮ（１６０Ａ）から受信する様にさらに構成されている、ＳＮ。
【請求項２７】
請求項２２から２６のいずれか１項に記載のＳＮ（１６０Ｂ）であって、
前記処理回路は、ＦＲ２の前記第２測定ギャップ構成を新しい構成に変更する様にさらに構成され、
前記インタフェース回路（１９０）は、前記新しい構成を前記ＭＮ（１６０Ａ）に通信する様にさらに構成されている、ＳＮ。
【請求項２８】
請求項２２から２７のいずれか１項に記載のＳＮ（１６０Ｂ）であって、
前記インタフェース回路（１９０）は、前記無線デバイス（１１０）の新しい構成を示すメッセージを前記ＭＮ（１６０Ａ）から受信する様にさらに構成され、
前記新しい構成は、ＦＲ１の変更された測定ギャップ構成及びＦＲ２の変更された測定ギャップ構成の少なくとも１つを含む、ＳＮ。
【請求項２９】
請求項２２から２８のいずれか１項に記載のＳＮ（１６０Ｂ）であって、
前記ＤＣ構成はＥＮ−ＤＣ構成であり、前記ＭＮ（１６０Ａ）はＬＴＥで動作し、前記ＳＮ（１６０Ｂ）はＮＲで動作する、ＳＮ。
【手続補正書】
【提出日】令和2年6月1日(2020.6.1)
【手続補正１】
【補正対象書類名】特許請求の範囲
【補正対象項目名】全文
【補正方法】変更
【補正の内容】
【特許請求の範囲】
【請求項１】
測定ギャップ構成のためにマスタノード（ＭＮ）（１６０Ａ）により実行される方法であって、
セカンダリノード（ＳＮ）（１６０Ｂ）及び無線デバイス（１１０）とデュアルコネクティビティ（ＤＣ）構成で動作することと、
前記無線デバイス（１１０）から受信した能力情報に基づき、前記無線デバイス（１１０）が第１周波数範囲（ＦＲ１）及び第２周波数範囲（ＦＲ２）に個別無線周波数（ＲＦ）チェーンを使用すると決定することと、
ＦＲ１の第１測定ギャップ構成及びＦＲ２の第２測定ギャップ構成で前記無線デバイス（１１０）を構成することであって、前記第１測定ギャップ構成は、前記無線デバイスがＦＲ１を測定することを可能にし、前記第２測定ギャップ構成は、前記無線デバイスがＦＲ２を測定することを可能にする、前記構成することと、
前記ＳＮ（１６０Ｂ）から、前記ＭＮがＦＲ１の前記第１測定ギャップ構成及びＦＲ２の前記第２測定ギャップ構成の少なくとも１つを修正することを要求するメッセージを受信することと、
を含む方法。
【請求項２】
請求項１に記載の方法であって、
前記ＳＮ（１６０Ｂ）が前記無線デバイス（１１０）に測定ギャップ構成を構成する必要がないことを前記ＳＮ（１６０Ｂ）に通信することをさらに含む、方法。
【請求項３】
請求項１又は２に記載の方法であって、
ＦＲ１の前記第１測定ギャップ構成及びＦＲ２の前記第２測定ギャップ構成を前記ＳＮ（１６０Ｂ）に通信することをさらに含む、方法。
【請求項４】
請求項１から３のいずれか１項に記載の方法であって、
ＦＲ１の前記第１測定ギャップ構成、及び／又は、ＦＲ２の前記第２測定ギャップ構成を新しい構成に変更することと、
前記新しい構成を前記ＳＮ（１６０Ｂ）に通信することと、をさらに含む方法。
【請求項５】
請求項１から４のいずれか１項に記載の方法であって、
前記ＳＮ（１６０Ｂ）から通知を受信することをさらに含み、
前記通知は、前記ＳＮ（１６０Ｂ）がＦＲ１及び／又はＦＲ２の１つ以上の周波数を使用するサービングセルを追加又は削除したことを前記ＭＮ（１６０Ａ）に通知する、方法。
【請求項６】
測定ギャップ構成のためのマスタノード（ＭＮ）（１６０Ａ）であって、
セカンダリノード（ＳＮ）（１６０Ｂ）及び無線デバイス（１１０）とデュアルコネクティビティ（ＤＣ）構成で動作し、前記無線デバイス（１１０）から受信した能力情報に基づき、前記無線デバイス（１１０）が第１周波数範囲（ＦＲ１）及び第２周波数範囲（ＦＲ２）に個別無線周波数（ＲＦ）チェーンを使用すると決定し、前記無線デバイス（１１０）が、ＦＲ１を測定することを可能にする、ＦＲ１の第１測定ギャップ構成、及び、前記無線デバイス（１１０）が、ＦＲ２を測定することを可能にする、ＦＲ２の第２測定ギャップ構成を構成する様に構成されている処理回路（１７０）と、
前記処理回路（１７０）と動作可能に接続され、前記第１測定ギャップ構成及び前記第２測定ギャップ構成を前記無線デバイス（１１０）に送信し、前記ＳＮ（１６０Ｂ）から、前記ＭＮがＦＲ１の前記第１測定ギャップ構成及びＦＲ２の前記第２測定ギャップ構成の少なくとも１つを修正することを要求するメッセージを受信する様に構成されているインタフェース回路（１９０）と、を備えるＭＮ。
【請求項７】
請求項６に記載のＭＮ（１６０Ａ）であって、
請求項２から５のいずれか１項に記載の方法を実行する様にさらに構成されている、ＭＮ。
【請求項８】
測定ギャップ構成のためにセカンダリノード（ＳＮ）（１６０Ｂ）により実行される方法であって、
マスタノード（ＭＮ）（１６０Ａ）及び無線デバイス（１１０）とデュアルコネクティビティ（ＤＣ）構成で動作することと、
前記ＭＮ（１６０Ａ）から、前記無線デバイス（１１０）のための、第１周波数範囲（ＦＲ１）の第１測定ギャップ構成及び第２周波数範囲（ＦＲ２）の第２測定ギャップ構成の少なくとも１つの構成に関連するメッセージを受信することと、
ＦＲ１の前記第１測定ギャップ構成及びＦＲ２の前記第２測定ギャップ構成の少なくとも１つの新しい構成を決定することと、
ＦＲ１の前記第１測定ギャップ構成及びＦＲ２の前記第２測定ギャップ構成の前記少なくとも１つを修正する要求を前記ＭＮ（１６０Ａ）に通信することと、
を含む方法。
【請求項９】
請求項８に記載の方法であって、
前記メッセージは、前記ＳＮ（１６０Ｂ）が前記無線デバイス（１１０）のためにＦＲ１とＦＲ２の前記測定ギャップ構成を設定する必要がないことを示す、方法。
【請求項１０】
請求項８又は９に記載の方法であって、
前記ＭＮ（１６０Ａ）からメッセージを受信することをさらに含み、前記メッセージは、ＦＲ１の前記第１測定ギャップ構成及びＦＲ２の前記第２測定ギャップ構成を示す、方法。
【請求項１１】
請求項８に記載の方法であって、
前記メッセージは、前記無線デバイス（１１０）がＦＲ１及びＦＲ２に個別無線周波数（ＲＦ）チェーンを使用することを示し、
前記方法は、
前記ＭＮ（１６０Ａ）から、前記ＳＮ（１６０Ｂ）がＦＲ２の前記第２測定ギャップ構成を構成する責任があるとの通知を受信することと、
前記通知の応答として、前記無線デバイス（１１０）に、ＦＲ２周波数の前記第２測定ギャップ構成を送信することと、をさらに含む方法。
【請求項１２】
請求項１１に記載の方法であって、
ＦＲ１の前記第１測定ギャップ構成を前記ＭＮ（１６０Ａ）から受信することをさらに含む、方法。
【請求項１３】
請求項８から１２のいずれか１項に記載の方法であって、
前記無線デバイス（１１０）のためのＦＲ２の前記第２測定ギャップ構成を新しい構成に変更することと、
前記新しい構成を前記ＭＮ（１６０Ａ）に通信することと、をさらに含む方法。
【請求項１４】
請求項８から１３のいずれか１項に記載の方法であって、
前記無線デバイス（１１０）の新しい構成を示すメッセージを前記ＭＮ（１６０Ａ）から受信することをさらに含み、
前記新しい構成は、ＦＲ１の変更された測定ギャップ構成及びＦＲ２の変更された測定ギャップ構成の少なくとも１つを含む、方法。
【請求項１５】
測定ギャップ構成のためのセカンダリノード（ＳＮ）（１６０Ｂ）であって、
マスタノード（ＭＮ）（１６０Ａ）及び無線デバイス（１１０）とデュアルコネクティビティ（ＤＣ）構成で動作する様に構成されている処理回路（１７０）と、
前記処理回路と動作可能に接続され、前記ＭＮ（１６０Ａ）から、前記無線デバイス（１１０）のための、第１周波数範囲（ＦＲ１）の第１測定ギャップ構成及び第２周波数範囲（ＦＲ２）の第２測定ギャップ構成の少なくとも１つの構成に関連するメッセージを受信する様に構成されているインタフェース回路（１９０）と、を備え、
前記処理回路（１７０）は、ＦＲ１の前記第１測定ギャップ構成及びＦＲ２の前記第２測定ギャップ構成の少なくとも１つの新しい構成を決定する様にさらに構成され、
前記インタフェース回路（１９０）は、ＦＲ１の前記第１測定ギャップ構成及びＦＲ２の前記第２測定ギャップ構成の前記少なくとも１つを修正する要求を前記ＭＮ（１６０Ａ）に通信する様にさらに構成されている、ＳＮ。
【請求項１６】
請求項１５に記載のＳＮ（１６０Ｂ）であって、
請求項９から１４のいずれか１項に記載の方法を実行する様にさらに構成されている、ＳＮ。
【国際調査報告】
2021503730.tif 000022
2021503730.tif 000023
2021503730.tif 000024